(57)【要約】【課題】複数の無線通信の相互干渉の影響を低減することができるとともに、複数の無線通信方式による通信が可能な期間の制限を軽減することができる無線通信システムを提供する。【解決手段】基地局１１と、基地局１１と無線通信を行う第１端末２５と、第１端末２５と第２端末２７との間の無線通信を中継するアクセスポイント２３と、を備える無線通信システム１０００において、第１端末２５が、基地局１１から送信される下りフレームに含まれるフレーム情報から、当該下りフレームに含まれる第１端末２５宛てのパケットを第１端末２５が受信するパケット受信期間に関する期間情報を取得し、フレーム情報を受信するフレーム情報受信期間と、その取得された期間情報に基づくパケット受信期間と、にアクセスポイント２３に対するパケットの送信を停止することを特徴とする。【選択図】図１
2010041162.tif 000002
【特許請求の範囲】
【請求項１】
基地局と、前記基地局と無線通信を行う端末と、前記端末と他の装置との間の無線通信を中継する中継装置と、を備える無線通信システムにおいて、
前記端末は、
通信時間が、前記基地局が下りフレームを送信する時間と、前記基地局が上りフレームを受信する時間と、に分割された時分割方式によって、前記基地局とセルラー通信を行う端末側セルラー通信手段と、
前記中継装置と無線ＬＡＮ（Local Area Network）通信を行う端末側無線ＬＡＮ通信手段と、
前記端末側無線ＬＡＮ通信手段を制御して、パケットを前記中継装置に対して送信させる端末側無線ＬＡＮ送信制御手段と、
前記下りフレームに含まれるフレーム情報から、当該下りフレームに含まれる当該端末宛てのパケットを当該端末が受信するパケット受信期間に関する期間情報を取得する端末側取得手段と、
を備え、
前記端末側無線ＬＡＮ送信制御手段は、前記端末側セルラー通信手段が前記フレーム情報を受信するフレーム情報受信期間と、前記端末側取得手段により取得された期間情報に基づくパケット受信期間と、に前記端末側無線ＬＡＮ通信手段による前記中継装置に対するパケットの送信を停止することを特徴とする無線通信システム。
【請求項２】
基地局と、前記基地局と無線通信を行う端末と、前記端末と他の装置との間の無線通信を中継する中継装置と、を備える無線通信システムにおいて、
前記端末は、
通信時間が、前記基地局が下りフレームを送信する時間と、前記基地局が上りフレームを受信する時間と、に分割された時分割方式によって、前記基地局とセルラー通信を行う端末側セルラー通信手段と、
前記中継装置と無線ＬＡＮ（Local Area Network）通信を行う端末側無線ＬＡＮ通信手段と、
前記端末側無線ＬＡＮ通信手段を制御して、パケットを前記中継装置に対して送信させる端末側無線ＬＡＮ送信制御手段と、
前記下りフレームに含まれるフレーム情報から、当該下りフレームの次に通信される前記上りフレームに含まれる当該端末からのパケットを当該端末が送信するパケット送信期間に関する期間情報を取得する端末側取得手段と、
前記端末側無線ＬＡＮ通信手段を制御して、前記端末側取得手段により取得された期間情報に基づくパケット送信期間の前に、当該パケット送信期間における前記無線ＬＡＮ通信でのパケットの送信を停止するよう前記他の装置に対して要求する要求信号を、前記中継装置に対して送信させる端末側要求手段と、
を備え、
前記端末側無線ＬＡＮ送信制御手段は、前記端末側セルラー通信手段が前記フレーム情報を受信するフレーム情報受信期間に、前記端末側無線ＬＡＮ通信手段による前記中継装置に対するパケットの送信を停止することを特徴とする無線通信システム。
【請求項３】
請求項２に記載の無線通信システムにおいて、
前記端末側要求手段は、前記端末側無線ＬＡＮ通信手段を制御して、前記パケット送信期間における前記無線ＬＡＮ通信での前記端末宛てのパケットの送信を停止するよう前記他の装置に対して要求する要求信号を、前記中継装置に対して送信させることを特徴とする無線通信システム。
【請求項４】
請求項１〜３の何れか一項に記載の無線通信システムにおいて、
前記中継装置は、
前記時分割方式によって、前記基地局とセルラー通信を行う中継側セルラー通信手段と、
前記端末と無線ＬＡＮ通信を行う中継側無線ＬＡＮ通信手段と、
前記中継側無線ＬＡＮ通信手段を制御して、パケットを前記端末に対して送信させる中継側無線ＬＡＮ送信制御手段と、
前記中継側無線ＬＡＮ通信手段を制御して、前記下りフレームに含まれるフレーム情報を前記端末に対して転送させる転送制御手段と、
を備え、
前記中継側無線ＬＡＮ送信制御手段は、前記中継側セルラー通信手段が前記フレーム情報を受信するフレーム情報受信期間に、前記中継側無線ＬＡＮ通信手段による前記端末に対するパケットの送信を停止し、
前記端末側取得手段は、前記中継側無線ＬＡＮ通信手段により転送されたフレーム情報から前記期間情報を取得することを特徴とする無線通信システム。
【請求項５】
基地局と、前記基地局と無線通信を行う端末と、前記端末と他の装置との間の無線通信を中継する中継装置と、を備える無線通信システムにおいて、
前記端末は、
通信時間が、前記基地局が下りフレームを送信する時間と、前記基地局が上りフレームを受信する時間と、に分割された時分割方式によって、前記基地局とセルラー通信を行う端末側セルラー通信手段と、
前記中継装置と無線ＬＡＮ（Local Area Network）通信を行う端末側無線ＬＡＮ通信手段と、
を備え、
前記中継装置は、
前記時分割方式によって、前記基地局とセルラー通信を行う中継側セルラー通信手段と、
前記端末と無線ＬＡＮ通信を行う中継側無線ＬＡＮ通信手段と、
前記中継側無線ＬＡＮ通信手段を制御して、パケットを前記端末に対して送信させる中継側無線ＬＡＮ送信制御手段と、
前記下りフレームに含まれるフレーム情報から、当該下りフレームの次に通信される前記上りフレームに含まれる前記端末からのパケットを当該端末が送信するパケット送信期間に関する期間情報を取得する中継側取得手段と、
を備え、
前記中継側無線ＬＡＮ送信制御手段は、前記中継側セルラー通信手段が前記フレーム情報を受信するフレーム情報受信期間と、前記中継側取得手段により取得された期間情報に基づくパケット送信期間と、に前記中継側無線ＬＡＮ通信手段による前記端末に対するパケットの送信を停止することを特徴とする無線通信システム。
【請求項６】
基地局と、前記基地局と無線通信を行う端末と、前記端末と前記基地局との間の無線通信を中継する中継装置と、を備える無線通信システムにおいて、
前記端末は、
通信時間が、前記基地局が下りフレームを送信する時間と、前記基地局が上りフレームを受信する時間と、に分割された時分割方式によって、前記基地局とセルラー通信を行う端末側セルラー通信手段と、
前記中継装置と無線ＬＡＮ（Local Area Network）通信を行う端末側無線ＬＡＮ通信手段と、
前記端末側無線ＬＡＮ通信手段を制御して、パケットを前記中継装置に対して送信させる端末側無線ＬＡＮ送信制御手段と、
前記下りフレームに含まれるフレーム情報から、当該下りフレームに含まれる当該端末宛てのパケットを前記端末が受信するパケット受信期間に関する期間情報を取得する端末側取得手段と、
を備え、
前記端末側無線ＬＡＮ送信制御手段は、前記端末側セルラー通信手段が前記フレーム情報を受信するフレーム情報受信期間と、前記端末側取得手段により取得された期間情報に基づくパケット受信期間と、に前記端末側無線ＬＡＮ通信手段による前記中継装置に対するパケットの送信を停止し、
前記中継装置は、
前記時分割方式によって、前記基地局とセルラー通信を行う中継側セルラー通信手段と、
前記端末と無線ＬＡＮ通信を行う中継側無線ＬＡＮ通信手段と、
前記中継側無線ＬＡＮ通信手段を制御して、パケットを前記端末に対して送信させる中継側無線ＬＡＮ送信制御手段と、
前記下りフレームに含まれるフレーム情報から、当該下りフレームの次に通信される前記上りフレームに含まれる前記端末からのパケットを当該中継装置が中継するパケット中継期間に関する期間情報を取得する中継側取得手段と、
前記中継側無線ＬＡＮ通信手段を制御して、前記中継側取得手段により取得された期間情報に基づくパケット中継期間の前に、前記端末からのパケットを送信するよう要求する要求信号を当該端末に対して送信させる中継側要求手段と、
前記中継側セルラー通信手段を制御して、前記中継側取得手段により取得された期間情報に基づくパケット中継期間に、前記中継側無線ＬＡＮ通信手段により送信された要求信号に従って前記端末側無線ＬＡＮ通信手段から送信された前記端末からのパケットを前記基地局に対して送信させる中継側セルラー送信制御手段と、
を備え、
前記中継側無線ＬＡＮ送信制御手段は、前記中継側セルラー通信手段が前記フレーム情報を受信するフレーム情報受信期間に、前記中継側無線ＬＡＮ通信手段による前記端末に対するパケットの送信を停止することを特徴とする無線通信システム。
【請求項７】
請求項６に記載の無線通信システムにおいて、
前記中継装置は、
前記中継側無線ＬＡＮ通信手段を制御して、前記下りフレームに含まれるフレーム情報を前記端末に対して転送させる転送制御手段を備え、
前記端末側取得手段は、前記中継側無線ＬＡＮ通信手段により転送されたフレーム情報から前記期間情報を取得することを特徴とする無線通信システム。
【発明の詳細な説明】
【技術分野】
【０００１】
本発明は、無線通信システムに関する。
【背景技術】
【０００２】
従来、セルラー通信等の長距離無線通信や無線ＬＡＮ通信等の短距離無線通信などの複数の無線通信方式を共用可能な端末が知られている。
このような端末においては、例えば、複数の無線通信方式による通信を同時に行うと、複数の無線通信の相互干渉により、パケットロスが発生する場合がある。
特に、信号の受信電力は送信電力よりも小さいため、端末が、一方の無線通信方式による送信を行っている間に他方の無線通信方式による受信を行うと、送信信号からの廻り込み干渉によって、他方の無線通信方式による受信ができなくなり、パケットロスが発生する場合がある。
【０００３】
そこで、相互干渉の影響を低減するために、例えば、一方の無線通信方式による通信を行っている間は、他方の無線通信方式による送信を遅延させたり、他方の無線通信方式による通信を停止させたりする方法が提案されている（例えば、特許文献１及び２参照）。
【特許文献１】特開２００６−２７９９４３号公報
【特許文献２】特許第３８２１１４２号公報
【発明の開示】
【発明が解決しようとする課題】
【０００４】
しかしながら、一方の無線通信方式による通信（送受信）を行っている間、他方の無線通信方式による送信を遅延させたり、他方の無線通信方式による通信（送受信）を停止させたりすると、他方の無線通信方式による通信が可能な期間が限られてしまい、他方の無線通信方式による通信が滞ってしまうという問題がある。
【０００５】
本発明の課題は、複数の無線通信の相互干渉の影響を低減することができるとともに、複数の無線通信方式による通信が可能な期間の制限を軽減することができる無線通信システムを提供することにある。
【課題を解決するための手段】
【０００６】
上記課題を解決するために、請求項１に記載の発明は、
基地局と、前記基地局と無線通信を行う端末と、前記端末と他の装置との間の無線通信を中継する中継装置と、を備える無線通信システムにおいて、
前記端末は、
通信時間が、前記基地局が下りフレームを送信する時間と、前記基地局が上りフレームを受信する時間と、に分割された時分割方式によって、前記基地局とセルラー通信を行う端末側セルラー通信手段と、
前記中継装置と無線ＬＡＮ（Local Area Network）通信を行う端末側無線ＬＡＮ通信手段と、
前記端末側無線ＬＡＮ通信手段を制御して、パケットを前記中継装置に対して送信させる端末側無線ＬＡＮ送信制御手段と、
前記下りフレームに含まれるフレーム情報から、当該下りフレームに含まれる当該端末宛てのパケットを当該端末が受信するパケット受信期間に関する期間情報を取得する端末側取得手段と、
を備え、
前記端末側無線ＬＡＮ送信制御手段は、前記端末側セルラー通信手段が前記フレーム情報を受信するフレーム情報受信期間と、前記端末側取得手段により取得された期間情報に基づくパケット受信期間と、に前記端末側無線ＬＡＮ通信手段による前記中継装置に対するパケットの送信を停止することを特徴とする。
【０００７】
請求項２に記載の発明は、
基地局と、前記基地局と無線通信を行う端末と、前記端末と他の装置との間の無線通信を中継する中継装置と、を備える無線通信システムにおいて、
前記端末は、
通信時間が、前記基地局が下りフレームを送信する時間と、前記基地局が上りフレームを受信する時間と、に分割された時分割方式によって、前記基地局とセルラー通信を行う端末側セルラー通信手段と、
前記中継装置と無線ＬＡＮ（Local Area Network）通信を行う端末側無線ＬＡＮ通信手段と、
前記端末側無線ＬＡＮ通信手段を制御して、パケットを前記中継装置に対して送信させる端末側無線ＬＡＮ送信制御手段と、
前記下りフレームに含まれるフレーム情報から、当該下りフレームの次に通信される前記上りフレームに含まれる当該端末からのパケットを当該端末が送信するパケット送信期間に関する期間情報を取得する端末側取得手段と、
前記端末側無線ＬＡＮ通信手段を制御して、前記端末側取得手段により取得された期間情報に基づくパケット送信期間の前に、当該パケット送信期間における前記無線ＬＡＮ通信でのパケットの送信を停止するよう前記他の装置に対して要求する要求信号を、前記中継装置に対して送信させる端末側要求手段と、
を備え、
前記端末側無線ＬＡＮ送信制御手段は、前記端末側セルラー通信手段が前記フレーム情報を受信するフレーム情報受信期間に、前記端末側無線ＬＡＮ通信手段による前記中継装置に対するパケットの送信を停止することを特徴とする。
【０００８】
請求項３に記載の発明は、
請求項２に記載の無線通信システムにおいて、
前記端末側要求手段は、前記端末側無線ＬＡＮ通信手段を制御して、前記パケット送信期間における前記無線ＬＡＮ通信での前記端末宛てのパケットの送信を停止するよう前記他の装置に対して要求する要求信号を、前記中継装置に対して送信させることを特徴とする。
【０００９】
請求項４に記載の発明は、
請求項１〜３の何れか一項に記載の無線通信システムにおいて、
前記中継装置は、
前記時分割方式によって、前記基地局とセルラー通信を行う中継側セルラー通信手段と、
前記端末と無線ＬＡＮ通信を行う中継側無線ＬＡＮ通信手段と、
前記中継側無線ＬＡＮ通信手段を制御して、パケットを前記端末に対して送信させる中継側無線ＬＡＮ送信制御手段と、
前記中継側無線ＬＡＮ通信手段を制御して、前記下りフレームに含まれるフレーム情報を前記端末に対して転送させる転送制御手段と、
を備え、
前記中継側無線ＬＡＮ送信制御手段は、前記中継側セルラー通信手段が前記フレーム情報を受信するフレーム情報受信期間に、前記中継側無線ＬＡＮ通信手段による前記端末に対するパケットの送信を停止し、
前記端末側取得手段は、前記中継側無線ＬＡＮ通信手段により転送されたフレーム情報から前記期間情報を取得することを特徴とする。
【００１０】
請求項５に記載の発明は、
基地局と、前記基地局と無線通信を行う端末と、前記端末と他の装置との間の無線通信を中継する中継装置と、を備える無線通信システムにおいて、
前記端末は、
通信時間が、前記基地局が下りフレームを送信する時間と、前記基地局が上りフレームを受信する時間と、に分割された時分割方式によって、前記基地局とセルラー通信を行う端末側セルラー通信手段と、
前記中継装置と無線ＬＡＮ（Local Area Network）通信を行う端末側無線ＬＡＮ通信手段と、
を備え、
前記中継装置は、
前記時分割方式によって、前記基地局とセルラー通信を行う中継側セルラー通信手段と、
前記端末と無線ＬＡＮ通信を行う中継側無線ＬＡＮ通信手段と、
前記中継側無線ＬＡＮ通信手段を制御して、パケットを前記端末に対して送信させる中継側無線ＬＡＮ送信制御手段と、
前記下りフレームに含まれるフレーム情報から、当該下りフレームの次に通信される前記上りフレームに含まれる前記端末からのパケットを当該端末が送信するパケット送信期間に関する期間情報を取得する中継側取得手段と、
を備え、
前記中継側無線ＬＡＮ送信制御手段は、前記中継側セルラー通信手段が前記フレーム情報を受信するフレーム情報受信期間と、前記中継側取得手段により取得された期間情報に基づくパケット送信期間と、に前記中継側無線ＬＡＮ通信手段による前記端末に対するパケットの送信を停止することを特徴とする。
【００１１】
請求項６に記載の発明は、
基地局と、前記基地局と無線通信を行う端末と、前記端末と前記基地局との間の無線通信を中継する中継装置と、を備える無線通信システムにおいて、
前記端末は、
通信時間が、前記基地局が下りフレームを送信する時間と、前記基地局が上りフレームを受信する時間と、に分割された時分割方式によって、前記基地局とセルラー通信を行う端末側セルラー通信手段と、
前記中継装置と無線ＬＡＮ（Local Area Network）通信を行う端末側無線ＬＡＮ通信手段と、
前記端末側無線ＬＡＮ通信手段を制御して、パケットを前記中継装置に対して送信させる端末側無線ＬＡＮ送信制御手段と、
前記下りフレームに含まれるフレーム情報から、当該下りフレームに含まれる当該端末宛てのパケットを前記端末が受信するパケット受信期間に関する期間情報を取得する端末側取得手段と、
を備え、
前記端末側無線ＬＡＮ送信制御手段は、前記端末側セルラー通信手段が前記フレーム情報を受信するフレーム情報受信期間と、前記端末側取得手段により取得された期間情報に基づくパケット受信期間と、に前記端末側無線ＬＡＮ通信手段による前記中継装置に対するパケットの送信を停止し、
前記中継装置は、
前記時分割方式によって、前記基地局とセルラー通信を行う中継側セルラー通信手段と、
前記端末と無線ＬＡＮ通信を行う中継側無線ＬＡＮ通信手段と、
前記中継側無線ＬＡＮ通信手段を制御して、パケットを前記端末に対して送信させる中継側無線ＬＡＮ送信制御手段と、
前記下りフレームに含まれるフレーム情報から、当該下りフレームの次に通信される前記上りフレームに含まれる前記端末からのパケットを当該中継装置が中継するパケット中継期間に関する期間情報を取得する中継側取得手段と、
前記中継側無線ＬＡＮ通信手段を制御して、前記中継側取得手段により取得された期間情報に基づくパケット中継期間の前に、前記端末からのパケットを送信するよう要求する要求信号を当該端末に対して送信させる中継側要求手段と、
前記中継側セルラー通信手段を制御して、前記中継側取得手段により取得された期間情報に基づくパケット中継期間に、前記中継側無線ＬＡＮ通信手段により送信された要求信号に従って前記端末側無線ＬＡＮ通信手段から送信された前記端末からのパケットを前記基地局に対して送信させる中継側セルラー送信制御手段と、
を備え、
前記中継側無線ＬＡＮ送信制御手段は、前記中継側セルラー通信手段が前記フレーム情報を受信するフレーム情報受信期間に、前記中継側無線ＬＡＮ通信手段による前記端末に対するパケットの送信を停止することを特徴とする。
【００１２】
請求項７に記載の発明は、
請求項６に記載の無線通信システムにおいて、
前記中継装置は、
前記中継側無線ＬＡＮ通信手段を制御して、前記下りフレームに含まれるフレーム情報を前記端末に対して転送させる転送制御手段を備え、
前記端末側取得手段は、前記中継側無線ＬＡＮ通信手段により転送されたフレーム情報から前記期間情報を取得することを特徴とする無線通信システム。
【発明の効果】
【００１３】
本発明によれば、端末は、下りフレームに含まれるフレーム情報から、当該下りフレームに含まれる当該端末宛てのパケットを当該端末が受信するパケット受信期間に関する期間情報を取得し、フレーム情報を受信するフレーム情報受信期間と、その取得された期間情報に基づくパケット受信期間と、に中継装置に対するパケットの送信を停止するようになっている。
すなわち、端末が基地局からの送信を受信する期間は、端末による中継装置に対するパケットの送信が禁止される。したがって、端末によるセルラー通信でのパケットの受信と、端末による無線ＬＡＮ通信でのパケットの送信と、が重なることがないため、複数の無線通信の相互干渉の影響を低減することができる。
また、端末が基地局からの送信を受信する期間に、端末による中継装置に対するパケットの送信が禁止されるだけなので、一方の無線通信方式による通信（送受信）を行っている間、他方の無線通信方式による送信を遅延させたり、他方の無線通信方式による通信（送受信）を停止させたりする場合と比較して、複数の無線通信方式による通信が可能な期間の制限を軽減することができる。
【００１４】
本発明によれば、端末は、下りフレームに含まれるフレーム情報から、当該下りフレームの次に通信される上りフレームに含まれる当該端末からのパケットを当該端末が送信するパケット送信期間に関する期間情報を取得し、その取得された期間情報に基づくパケット送信期間の前に、当該パケット送信期間における無線ＬＡＮ通信でのパケットの送信を停止するよう他の装置に対して要求する要求信号を、中継装置に対して送信させるようになっている。また、端末は、フレーム情報を受信するフレーム情報受信期間に、中継装置に対するパケットの送信を停止するようになっている。
したがって、端末は、パケット送信期間の前に、当該パケット送信期間における無線ＬＡＮ通信でのパケットの送信を停止するよう他の装置に対して要求する要求信号を、中継装置に対して送信するようになっている。
すなわち、端末が基地局に対してパケットを送信する期間は、他の装置によるパケットの送信は禁止されるため、端末による中継装置からのパケットの受信は行われない。したがって、端末によるセルラー通信でのパケットの送信と、端末による無線ＬＡＮ通信でのパケットの受信と、が重なることがないため、複数の無線通信の相互干渉の影響を低減することができる。
また、端末が基地局に対してパケットを送信する期間に、他の装置によるパケットの送信が禁止されるだけなので、一方の無線通信方式による通信（送受信）を行っている間、他方の無線通信方式による送信を遅延させたり、他方の無線通信方式による通信（送受信）を停止させたりする場合と比較して、複数の無線通信方式による通信が可能な期間の制限を軽減することができる。
【００１５】
本発明によれば、中継装置は、下りフレームに含まれるフレーム情報から、当該下りフレームの次に通信される上りフレームに含まれる端末からのパケットを当該端末が送信するパケット送信期間に関する期間情報を取得し、フレーム情報を受信するフレーム情報受信期間と、その取得された期間情報に基づくパケット送信期間と、に端末に対するパケットの送信を停止するようになっている。
すなわち、端末が基地局に対してパケットを送信する期間は、中継装置による端末宛てのパケットの送信は禁止されるため、端末による中継装置からのパケットの受信は行われない。したがって、端末によるセルラー通信でのパケットの送信と、端末による無線ＬＡＮ通信でのパケットの受信と、が重なることがないため、複数の無線通信の相互干渉の影響を低減することができる。
また、端末が基地局に対してパケットを送信する期間に、中継装置による端末宛てのパケットの送信が禁止されるだけなので、一方の無線通信方式による通信（送受信）を行っている間、他方の無線通信方式による送信を遅延させたり、他方の無線通信方式による通信（送受信）を停止させたりする場合と比較して、複数の無線通信方式による通信が可能な期間の制限を軽減することができる。
【００１６】
本発明によれば、端末は、下りフレームに含まれるフレーム情報から、当該下りフレームに含まれる当該端末宛てのパケットを当該端末が受信するパケット受信期間に関する期間情報を取得し、フレーム情報を受信するフレーム情報受信期間と、その取得された期間情報に基づくパケット受信期間と、に中継装置に対するパケットの送信を停止する。
すなわち、端末が基地局からの送信を受信する期間は、端末による中継装置に対するパケットの送信が禁止される。したがって、端末によるセルラー通信でのパケットの受信と、端末による無線ＬＡＮ通信でのパケットの送信と、が重なることがないため、複数の無線通信の相互干渉の影響を低減することができる。
そして、中継装置は、下りフレームに含まれるフレーム情報から、当該下りフレームの次に通信される上りフレームに含まれる端末からのパケットを当該中継装置が中継するパケット中継期間に関する期間情報を取得して、その取得された期間情報に基づくパケット中継期間の前に、端末からのパケットを送信するよう要求する要求信号を当該端末に対して送信させるとともに、その取得された期間情報に基づくパケット中継期間に、要求信号に従って端末から送信された当該端末からのパケットを基地局に対して送信させ、フレーム情報を受信するフレーム情報受信期間に、端末に対するパケットの送信を停止するようになっている。
すなわち、端末から送信される基地局宛てのパケットは中継装置を介して基地局に送信されるため、端末は、基地局に対して直接パケットを送信しない。したがって、端末によるセルラー通信でのパケットの送信と、端末による無線ＬＡＮ通信でのパケットの受信と、が重なることがないため、複数の無線通信の相互干渉の影響を低減することができる。
また、端末が基地局からの送信を受信する期間に、端末による中継器に対するパケットの送信が禁止されるだけなので、一方の無線通信方式による通信（送受信）を行っている間、他方の無線通信方式による送信を遅延させたり、他方の無線通信方式による通信（送受信）を停止させたりする場合と比較して、複数の無線通信方式による通信が可能な期間の制限を軽減することができる。
【発明を実施するための最良の形態】
【００１７】
以下、図を参照して、本発明を実施するための最良の形態を詳細に説明する。なお、発明の範囲は、図示例に限定されない。
【００１８】
［第１の実施の形態］
まず、第１の実施の形態における無線通信システム１０００について説明する。
【００１９】
＜無線通信システムの構成＞
図１に無線通信システム１０００の機能的構成を示すブロック図を示す。
無線通信システム１０００は、例えば、屋内Ｄをサポートする無線ＬＡＮ（Local Area Network）システムと、無線ＬＡＮシステムがサポートするエリアよりも広いエリア（例えば、半径１０ｋｍ程度のエリア）をサポートするセルラーシステムと、により構成される。
【００２０】
具体的には、無線通信システム１０００は、例えば、図１に示すように、基地局１１と、基地局１１と無線通信を行う端末としての第１端末１５と、第１端末１５と他の装置（例えば、第２端末１７，１７）との間の無線通信を中継する中継装置としてのアクセスポイント１３と、などを備えて構成される。
無線通信システム１０００においては、例えば、基地局１１及び第１端末１５でセルラーシステムを構成し、第１端末１５、第２端末１７及びアクセスポイント１３で無線ＬＡＮシステムを構成している。
なお、他の装置（第２端末１７）の個数は、２個に限ることはなく、１個であっても良いし、２個以上であっても良い。
【００２１】
無線通信システム１０００では、例えば、基地局１１と第１端末１５との間で、時分割方式のセルラー通信によりパケットの送受信が行われるようになっている。ここで、時分割方式とは、例えば、通信時間が、基地局１１が下りフレームを送信する時間と、基地局１１が上りフレームを受信する時間と、に分割された方式であり、例えば、ＴＤＤ（Time Division Duplex）方式などである。
また、第１端末１５とアクセスポイント１３との間で、無線ＬＡＮ通信でのパケットの送受信が行われるとともに、第２端末１７とアクセスポイント１３との間で、無線ＬＡＮ通信でのパケットの送受信が行われるようになっている。すなわち、アクセスポイント１３を介して、第１端末１５と第２端末１７との間で、無線ＬＡＮ通信によりパケットの送受信が行われるようになっている。
【００２２】
セルラーシステムは、例えば、ＷｉＭＡＸ（Worldwide Interoperability for Microwave Access）技術を用いた無線通信システムであり、無線ＬＡＮシステムは、例えば、ＷｉＦｉ（Wireless Fidelity）技術を用いた無線通信システムである。
なお、セルラーシステムは、ＷｉＭＡＸ技術を用いた無線通信システムに限ることはなく、セルラーシステムを構成する基地局１１と第１端末１５との間でセルラー通信が行える無線通信システムであれば任意であり、例えば、３．９Ｇセルラーなどの技術を用いた無線通信システムであっても良い。
また、無線ＬＡＮシステムは、ＷｉＦｉ技術を用いた無線通信システムに限ることはなく、無線ＬＡＮシステムを構成する第１端末１５や第２端末１７とアクセスポイント１３との間で無線ＬＡＮ通信が行える無線通信システムであれば任意であり、例えば、ＵＷＢ（Ultra Wide Band）などの技術を用いた無線通信システムであっても良い。
【００２３】
＜基地局＞
基地局１１は、例えば、基地局１１と接続する端末（第１端末１５など）との間で時分割方式のセルラー通信（ＴＤＤ方式のＷｉＭＡＸ通信）を行うセルラー基地局である。
具体的には、基地局１１は、例えば、端末に対して「当該端末宛てのパケット（基地局１１からのパケット）」を送信したり、端末から送信された「当該端末からのパケット（基地局１１宛てのパケット）」を受信したりする。
【００２４】
ここで、基地局１１が、基地局１１と接続する端末に対して送信する下りフレームは、例えば、図５に示すように、ヘッダ領域と、データ領域と、などから構成される。
【００２５】
下りフレームを構成するヘッダ領域は、例えば、その下りフレームを送信した基地局１１を識別するための基地局識別情報と、下り期間情報や上り期間情報などから構成されるフレーム情報と、などを含むヘッダ情報から構成されている。
フレーム情報を構成する下り期間情報は、例えば、そのフレーム情報を含む下りフレームのデータ領域中に割り当てられた各端末宛てのパケット用の領域の位置（すなわち、各端末宛てのパケットを基地局１１が送信するタイミング（期間））に関する情報である。
また、フレーム情報を構成する上り期間情報は、例えば、そのフレーム情報を含む下りフレームの次に通信される上りフレームのデータ領域中に割り当てられる各端末からのパケット用の領域の位置（すなわち、各端末から送信される基地局１１宛てのパケットを基地局１１が受信するタイミング（期間））に関する情報である。
下りフレームを構成するデータ領域は、例えば、基地局１１から送信された各端末宛てのパケットなどから構成されている。
基地局１１は、例えば、下りフレームのデータ領域において、各端末宛てのパケットそれぞれを、下り期間情報に基づくタイミングで順次送信するようになっている。
【００２６】
また、基地局１１が、基地局１１と接続する端末からの送信を受信する上りフレームは、例えば、図５に示すように、ヘッダ領域と、データ領域と、などから構成される。
【００２７】
上りフレームを構成するヘッダ領域は、例えば、フレーム予約情報などから構成されている。
フレーム予約情報は、例えば、各端末が、そのフレーム予約情報を含む上りフレームの次に通信される上りフレームのデータ領域中の所定領域を、当該端末から送信される当該端末からのパケット用に割り当てるよう予約するための割り当て予約に関する情報である。
上りフレームを構成するデータ領域は、例えば、各端末から送信された当該端末からのパケットなどから構成されている。
各端末は、例えば、上りフレームのデータ領域において、当該端末からのパケットを、上り期間情報に基づくタイミングで送信するようになっている。
【００２８】
＜アクセスポイント＞
図２にアクセスポイント１３の機能的構成を示すブロック図を示す。
アクセスポイント１３は、例えば、アクセスポイント１３と接続する端末（第１端末１５や第２端末１７）との間で無線ＬＡＮ通信（ＷｉＦｉ通信）を行う無線ＬＡＮアクセスポイントである。
具体的には、アクセスポイント１３は、例えば、端末に対して「当該端末宛てのパケット（アクセスポイント１３からのパケット）」を送信したり、端末から送信された「当該端末からのパケット（アクセスポイント１３宛てのパケット）」を受信したりする。
【００２９】
アクセスポイント１３としては、例えば、屋内Ｄの壁面などに設けられたコンセントから電源を引き込むことができる電源接続可能な固定型の装置が好ましいが、端末同士の間での無線ＬＡＮ通信を中継できる装置であれば任意であり、例えば、モバイルルータなどの携帯型の装置であっても良い。
【００３０】
具体的には、アクセスポイント１３は、例えば、ＬＡＮ送受分離部１３１と、ＬＡＮ受信部１３２と、ＬＡＮ受信用復調部１３３と、ＬＡＮ送信用変調部１３４と、ＬＡＮ送信部１３５と、制御部１３６と、などを備えて構成される。
【００３１】
ＬＡＮ送受分離部１３１は、例えば、無線ＬＡＮ通信用アンテナ１３１ａを有しており、アクセスポイント１３と無線ＬＡＮ（ＷｉＦｉネットワーク）を介して接続する端末との間で、無線ＬＡＮ通信を行う。
具体的には、ＬＡＮ送受分離部１３１は、例えば、制御部１３６から入力される制御信号に従って、端末から送信されたパケットを受信してＬＡＮ受信部１３２に出力するとともに、ＬＡＮ送信部１３５から入力されたパケットを端末に対して送信する。
【００３２】
ＬＡＮ受信部１３２は、例えば、制御部１３６から入力される制御信号に従って、ＬＡＮ送受分離部１３１から入力されたパケットをＬＡＮ受信用復調部１３３に出力する。
【００３３】
ＬＡＮ受信用復調部１３３は、例えば、制御部１３６から入力される制御信号に従って、ＬＡＮ受信部１３２から入力されたパケットを復調して所定の処理を施し、ＬＡＮ送信用変調部１３４に出力する。
【００３４】
ＬＡＮ送信用変調部１３４は、例えば、制御部１３６から入力される制御信号に従って、ＬＡＮ受信用復調部１３３から入力されたパケットを再度変調して、ＬＡＮ送信部１３５に出力する。
【００３５】
ＬＡＮ送信部１３５は、例えば、制御部１３６から入力される制御信号に従って、ＬＡＮ送信用変調部１３４から入力されたパケットをＬＡＮ送受分離部１３１に出力する。
【００３６】
なお、第１端末１５と無線ＬＡＮ通信を行う中継側無線ＬＡＮ通信手段は、例えば、ＬＡＮ送受分離部１３１と、ＬＡＮ受信部１３２と、ＬＡＮ送信部１３５と、からなる。
【００３７】
制御部１３６は、例えば、図２に示すように、ＣＰＵ（Central Processing Unit）１３６１と、ＲＡＭ（Random Access Memory）１３６２と、計時部１３６３と、記憶部１３６４と、などを備えて構成される。
【００３８】
ＣＰＵ１３６１は、例えば、記憶部１３６４に記憶されたアクセスポイント１３用の各種処理プログラムに従って各種の制御動作を行う。
【００３９】
ＲＡＭ１３６２は、例えば、ＣＰＵ１３６１によって実行される処理プログラムなどを展開するためのプログラム格納領域や、入力データや上記処理プログラムが実行される際に生じる処理結果などを格納するデータ格納領域などを備える。
【００４０】
計時部１３６３は、例えば、ＣＰＵ１３６１から入力される制御信号に従って、所与の計時処理を行う。
【００４１】
記憶部１３６４は、例えば、アクセスポイント１３で実行可能なシステムプログラム、当該システムプログラムで実行可能な各種処理プログラム、これら各種処理プログラムを実行する際に使用されるデータ、ＣＰＵ１３６１によって演算処理された処理結果のデータなどを記憶する。なお、プログラムは、コンピュータが読み取り可能なプログラムコードの形で記憶部１３６４に記憶されている。
【００４２】
具体的には、記憶部１３６３は、例えば、図２に示すように、ＬＡＮ送信制御プログラム１３６４ａなどを記憶している。
【００４３】
ＬＡＮ送信制御プログラム１３６４ａは、例えば、ＬＡＮ送信部１３５及びＬＡＮ送受分離部１３１を制御して、ＬＡＮ送受分離部１３１及びＬＡＮ受信部１３２により受信された第１端末１５や第２端末１７からのパケットを、第１端末１５や第２端末１７に対して送信させる機能を、ＣＰＵ１３６１に実現させる。
【００４４】
具体的には、例えば、ＬＡＮ送受分離部１３１及びＬＡＮ受信部１３２が、第１端末１５から送信された第２端末１７宛てのパケットを受信した場合、ＣＰＵ１３６１は、例えば、そのパケットを、ＬＡＮ受信用復調部１３３により復調して、ＬＡＮ送信用変調部１３４により再度変調し、そして、ＬＡＮ送信部１３５及びＬＡＮ送受分離部１３１により第２端末１７に対して送信させるようになっている。
また、例えば、ＬＡＮ送受分離部１３１及びＬＡＮ受信部１３２が、第２端末１７から送信された第１端末１５宛てのパケットを受信した場合、ＣＰＵ１３６１は、例えば、そのパケットを、ＬＡＮ受信用復調部１３３により復調して、ＬＡＮ送信用変調部１３４により再度変調し、そして、ＬＡＮ送信部１３５及びＬＡＮ送受分離部１３１により第１端末１５に対して送信させるようになっている。
【００４５】
ここで、アクセスポイント１３には、基地局１１から下りフレームが送信されるタイミング（期間）と、基地局１１が上りフレームを受信するタイミング（期間）と、が予め設定されており、ＣＰＵ１３６１は、例えば、基地局１１から下りフレームが送信される期間に、ＬＡＮ送信部１３５及びＬＡＮ送受分離部１３１による第１端末１５や第２端末１７に対するパケットの送信を行うようになっている。
ＣＰＵ１３６１は、かかるＬＡＮ送信制御プログラム１３６４ａを実行することによって、中継側無線ＬＡＮ送信制御手段として機能する。
【００４６】
＜第１端末＞
図３に第１端末１５の機能的構成を示すブロック図を示す。
第１端末１５は、例えば、第１端末１５と接続する基地局１１との間で時分割方式のセルラー通信（ＴＤＤ方式のＷｉＭＡＸ通信）を行うとともに、第１端末１５と接続するアクセスポイント１３との間で無線ＬＡＮ通信（ＷｉＦｉ通信）を行う、セルラー通信・無線ＬＡＮ通信共用端末である。
具体的には、第１端末１５は、例えば、基地局１１に対して「第１端末１５からのパケット（基地局１１宛てのパケット）」を送信したり、基地局１１から送信された「第１端末１５宛てのパケット（基地局１１からのパケット）」を受信したりするとともに、アクセスポイント１３に対して「第１端末１５からのパケット（アクセスポイント１３宛てのパケット）」を送信したり、アクセスポイント１３から送信された「第１端末１５宛てのパケット（アクセスポイント１３からのパケット）」を受信したりする。
【００４７】
第１端末１５としては、携帯型の装置が好ましいが、基地局１１及びアクセスポイント１３と通信できる装置であれば任意であり、例えば、固定型の装置であっても良い。
第１端末１５は、例えば、図３に示すように、入力された所定のパケットを再生する再生装置１５ａと接続している。なお、第１端末１５と再生装置１５ａとは、別体として構成されていても良いし、一体的に構成されていても良い。再生装置１５ａと一体的に構成されている場合、第１端末１５としては、例えば、携帯電話機などが挙げられる。
【００４８】
具体的には、第１端末１５は、例えば、図３に示すように、ＬＡＮ送受分離部１５１と、ＬＡＮ受信部１５２と、ＬＡＮ受信用復調部１５３と、ＬＡＮ送信用変調部１５４と、ＬＡＮ送信部１５５と、セルラー送受分離部１５６と、セルラー受信部１５４と、セルラー受信用復調部１５８と、セルラー送信用変調部１５９と、セルラー送信部１６０と、出力部１６１と、制御部１６２と、などを備えて構成される。
【００４９】
ＬＡＮ送受分離部１５１は、例えば、無線ＬＡＮ通信用アンテナ１５１ａを有しており、第１端末１５と無線ＬＡＮ（ＷｉＦｉネットワーク）を介して接続するアクセスポイント１３との間で、無線ＬＡＮ通信を行う。
具体的には、ＬＡＮ送受分離部１５１は、例えば、制御部１６２から入力される制御信号に従って、アクセスポイント１３から送信されたパケットを受信してＬＡＮ受信部１５２に出力するとともに、ＬＡＮ送信部１５５から入力されたパケットをアクセスポイント１３に対して送信する。
【００５０】
ＬＡＮ受信部１５２は、例えば、制御部１６２から入力される制御信号に従って、ＬＡＮ送受分離部１５１から入力されたパケットをＬＡＮ受信用復調部１５３に出力する。
【００５１】
ＬＡＮ受信用復調部１５３は、例えば、制御部１６２から入力される制御信号に従って、ＬＡＮ受信部１５２から入力されたパケットを復調して所定の処理を施し、制御部１６２や出力部１６１に出力する。
【００５２】
ＬＡＮ送信用変調部１５４は、例えば、制御部１６２から入力される制御信号に従って、制御部１６２が作成したパケットを変調して、ＬＡＮ送信部１５５に出力する。
【００５３】
ＬＡＮ送信部１５５は、例えば、制御部１６２から入力される制御信号に従って、ＬＡＮ送信用変調部１５４から入力されたパケットをＬＡＮ送受分離部１５１に出力する。
【００５４】
なお、アクセスポイント１３と無線ＬＡＮ通信を行う端末側無線ＬＡＮ通信手段は、例えば、ＬＡＮ送受分離部１５１と、ＬＡＮ受信部１５２と、ＬＡＮ送信部１５５と、からなる。
【００５５】
セルラー送受分離部１５６は、例えば、セルラー通信用アンテナ１５６ａを有しており、第１端末１５とセルラーネットワーク（ＷｉＭＡＸネットワーク）を介して接続する基地局１１との間で、セルラー通信を行う。
具体的には、セルラー送受分離部１５６は、例えば、制御部１６２から入力される制御信号に従って、基地局１１から送信されたパケットを受信してセルラー受信部１５７に出力するとともに、セルラー送信部１６０から入力されたパケットを基地局１１に対して送信する。
また、セルラー送受分離部１５６は、例えば、制御部１６２から入力される制御信号に従って、基地局１１から送信された下りフレームに含まれるヘッダ情報を受信してセルラー受信部１５７に出力する。
【００５６】
セルラー受信部１５７は、例えば、制御部１６２から入力される制御信号に従って、セルラー送受分離部１５６から入力されたパケットをセルラー受信用復調部１５８に出力する。
また、セルラー受信部１５７は、例えば、制御部１６２から入力される制御信号に従って、セルラー送受分離部１５６から入力されたヘッダ情報をセルラー受信用復調部１５９に出力する。
【００５７】
セルラー受信用復調部１５８は、例えば、制御部１６２から入力される制御信号に従って、セルラー受信部１５７から入力されたパケットを復調して所定の処理を施し、出力部１６１に出力する。
また、セルラー受信用復調部１５８は、例えば、制御部１６２から入力される制御信号に従って、セルラー受信部１５７から入力されたヘッダ情報を復調して所定の処理を施し、制御部１６２に出力する。
【００５８】
セルラー送信用変調部１５９は、例えば、制御部１６２から入力される制御信号に従って、制御部１６２が作成したパケットを変調して、セルラー送信部１６０に出力する。
【００５９】
セルラー送信部１６０は、例えば、制御部１６２から入力される制御信号に従って、セルラー送信用変調部１５９から入力されたパケットをセルラー送受分離部１５６に出力する。
【００６０】
なお、時分割方式によって、基地局１１とセルラー通信を行う端末側セルラー通信手段は、例えば、セルラー送受分離部１５６と、セルラー受信部１５７と、セルラー送信部１６０と、からなる。
【００６１】
出力部１６１は、例えば、再生装置１５ａと接続するためのインターフェースを備えており、例えば、制御部１６２から入力される制御信号に従って、ＬＡＮ受信用復調部１５３やセルラー受信用復調部１５８から入力されたパケットを再生装置１５ａに対して出力する。
【００６２】
再生装置１５ａは、例えば、第１端末１５（出力部１６１）から入力されたパケットを再生して、視聴可能となるように出力する装置である。
具体的には、再生装置１５ａは、例えば、パケットを再生する再生部と、再生部により再生されたパケットに基づく映像を表示する表示部と、再生部により再生されたパケットに基づく音声を出力する音声出力部と、などを備えて構成される。
【００６３】
制御部１６２は、例えば、図３に示すように、ＣＰＵ１６２１と、ＲＡＭ１６２２と、計時部１６２３と、記憶部１６２４と、などを備えて構成される。
【００６４】
ＣＰＵ１６２１は、例えば、記憶部１６２４に記憶された第１端末１５用の各種処理プログラムに従って各種の制御動作を行う。
【００６５】
ＲＡＮ１６２２は、例えば、ＣＰＵ１６２１によって実行される処理プログラムなどを展開するためのプログラム格納領域や、入力データや上記処理プログラムが実行される際に生じる処理結果などを格納するデータ格納領域などを備える。
【００６６】
計時部１６２３は、例えば、ＣＰＵ１６２１から入力される制御信号に従って、所与の計時処理を行う。
【００６７】
記憶部１６２４は、例えば、第１端末１５で実行可能なシステムプログラム、当該システムプログラムで実行可能な各種処理プログラム、これら各種処理プログラムを実行する際に使用されるデータ、ＣＰＵ１６２１によって演算処理された処理結果のデータなどを記憶する。なお、プログラムは、コンピュータが読み取り可能なプログラムコードの形で記憶部１６２４に記憶されている。
【００６８】
具体的には、記憶部１６２４は、例えば、図３に示すように、取得プログラム１６２４ａと、パケット作成プログラム１６２４ｂと、ＬＡＮ送信制御プログラム１６２４ｃと、セルラー送信制御プログラム１６２４ｄと、などを記憶している。
【００６９】
取得プログラム１６２４ａは、例えば、基地局１１から送信された下りフレームに含まれるヘッダ情報中のフレーム情報から、当該下りフレームに含まれる第１端末１５宛てのパケットを第１端末１５が受信するパケット受信期間に関する期間情報を取得するとともに、当該下りフレームの次に通信される上りフレームに含まれる第１端末１５からのパケット（基地局１１宛てのパケット）を第１端末１５が送信するパケット送信期間に関する期間情報を取得する機能を、ＣＰＵ１６２１に実現させる。
【００７０】
具体的には、例えば、セルラー送受分離部１５６及びセルラー受信部１５７が、基地局１１から送信された下りフレームに含まれるヘッダ情報を受信すると、ＣＰＵ１６２１は、例えば、そのヘッダ情報に含まれるフレーム情報を構成する下り期間情報の中から、その下りフレームのデータ領域中に割り当てられた第１端末１５宛てのパケット用の領域の位置（すなわち、第１端末１５宛てのパケットを基地局１１が送信するタイミング（期間））に関する情報を、第１端末１５宛てのパケット情報を第１端末１５が受信するパケット受信期間に関する期間情報として取得する。また、ＣＰＵ１６２１は、例えば、そのヘッダ情報に含まれるフレーム情報を構成する上り期間情報の中から、その下りフレームの次に通信される上りフレームのデータ領域中に割り当てられる第１端末１５からのパケット用の領域の位置（すなわち、第１端末１５から送信される基地局１１宛てのパケットを基地局１１が受信するタイミング（期間））に関する情報を、基地局１１宛てのパケットを第１端末１５が送信するパケット送信期間に関する期間情報として取得する。
ＣＰＵ１６２１は、かかる取得プログラム１６２４ａを実行することによって、端末側取得手段として機能する。
【００７１】
パケット作成プログラム１６２４ｂは、例えば、基地局１１宛てのパケットと、アクセスポイント１３宛てのパケット（第２端末１７宛てのパケット）と、などを作成する機能を、ＣＰＵ１６３１に実現させる。
【００７２】
ＬＡＮ送信制御プログラム１６２４ｃは、例えば、ＬＡＮ送信部１５５及びＬＡＮ送受分離部１５１を制御して、パケット作成プログラム１６２４ｂを実行したＣＰＵ１６２１により作成されたアクセスポイント１３宛てのパケット（第２端末１７宛てのパケット）を、アクセスポイント１３に対して送信させる機能を、ＣＰＵ１６２１に実現させる。
【００７３】
具体的には、例えば、パケット作成プログラム１６２４ｂを実行したＣＰＵ１６２１が、第２端末１７宛てのパケットを作成した場合、ＣＰＵ１３６１は、例えば、そのパケットを、ＬＡＮ送信用変調部１５４により変調し、そして、ＬＡＮ送信部１５５及びＬＡＮ送受分離部１５１によりアクセスポイント１３に対して送信させるようになっている。
【００７４】
ここで、第１端末１５には、基地局１１から下りフレームが送信されるタイミング（期間）と、基地局１１が上りフレームを受信するタイミング（期間）と、が予め設定されており、ＣＰＵ１６２１は、例えば、基地局１１が上りフレームを受信する期間に、ＬＡＮ送信部１５５及びＬＡＮ送受分離部１５１によるアクセスポイント１３に対するパケットの送信を行うようになっている。
ＣＰＵ１６２１は、かかるＬＡＮ送信制御プログラム１６２４ｃを実行することによって、端末側無線ＬＡＮ送信制御手段として機能する。
【００７５】
セルラー送信制御プログラム１６２４ｄは、例えば、セルラー送信部１６０及びセルラー送受分離部１５６を制御して、パケット作成プログラム１６２４ｂを実行したＣＰＵ１６２１により作成された基地局１１宛てのパケットを、基地局１１に対して送信させる機能を、ＣＰＵ１６２１に実現させる。
【００７６】
具体的には、例えば、パケット作成プログラム１６２４ｄを実行したＣＰＵ１６２１が、基地局１１宛てのパケットを作成した場合、ＣＰＵ１３６１は、例えば、そのパケットを、セルラー送信用変調部１５９により変調し、そして、取得プログラム１６２４ａを実行したＣＰＵ１６２１により取得された期間情報に基づくパケット送信期間に、セルラー送信部１６０及びセルラー送受分離部１５６により基地局１１に対して送信させるようになっている。
【００７７】
＜第２端末＞
図４に第２端末１７の機能的構成を示すブロック図を示す。
第２端末１７は、例えば、第２端末１７と接続するアクセスポイント１３との間で無線ＬＡＮ通信（ＷｉＦｉ通信）を行う無線ＬＡＮ通信端末である。
具体的には、第２端末１７は、例えば、アクセスポイント１３に対して「第２端末１７からのパケット（アクセスポイント１３宛てのパケット）」を送信したり、アクセスポイント１３から送信された「第２端末１７宛てのパケット（アクセスポイント１３からのパケット）」を受信したりする。
【００７８】
第２端末１７としては、携帯型の装置が好ましいが、アクセスポイント１３と通信できる装置であれば任意であり、例えば、固定型の装置であっても良い。
第２端末１７は、例えば、図４に示すように、入力された所定のパケットを再生する再生装置１７ａと接続している。なお、第２端末１７と再生装置１７ａとは、別体として構成されていても良いし、一体的に構成されていても良い。再生装置１７ａと一体的に構成されている場合、第２端末１７としては、例えば、携帯電話機などが挙げられる。
【００７９】
具体的には、第２端末１７は、例えば、図４に示すように、ＬＡＮ送受分離部１７１と、ＬＡＮ受信部１７２と、ＬＡＮ受信用復調部１７３と、ＬＡＮ送信用変調部１７４と、ＬＡＮ送信部１７５と、出力部１７６と、制御部１７７と、などを備えて構成される。
【００８０】
ＬＡＮ送受分離部１７１は、例えば、無線ＬＡＮ通信用アンテナ１７１ａを有しており、第２端末１７と無線ＬＡＮ（ＷｉＦｉネットワーク）を介して接続するアクセスポイント１３との間で、無線ＬＡＮ通信を行う。
具体的には、ＬＡＮ送受分離部１７１は、例えば、制御部１７７から入力される制御信号に従って、アクセスポイント１３から送信されたパケットを受信してＬＡＮ受信部１７２に出力するとともに、ＬＡＮ送信部１７５から入力されたパケットをアクセスポイント１３に対して送信する。
【００８１】
ＬＡＮ受信部１７２は、例えば、制御部１７７から入力される制御信号に従って、ＬＡＮ送受分離部１７１から入力されたパケットをＬＡＮ受信用復調部１７３に出力する。
【００８２】
ＬＡＮ受信用復調部１７３は、例えば、制御部１７７から入力される制御信号に従って、ＬＡＮ受信部１７２から入力されたパケットを復調して所定の処理を施し、出力部１７６に出力する。
【００８３】
ＬＡＮ送信用変調部１７４は、例えば、制御部１７７から入力される制御信号に従って、制御部１７７が作成したパケットを変調して、ＬＡＮ送信部１７５に出力する。
【００８４】
ＬＡＮ送信部１７５は、例えば、制御部１７７から入力される制御信号に従って、ＬＡＮ送信用変調部１７４から入力されたパケットをＬＡＮ送受分離部１７１に出力する。
【００８５】
出力部１７６は、例えば、再生装置１７ａと接続するためのインターフェースを備えており、例えば、制御部１７７から入力される制御信号に従って、ＬＡＮ受信用復調部１７３から入力されたパケットを再生装置１７ａに対して出力する。
【００８６】
再生装置１７ａは、例えば、第２端末１７（出力部１７６）から入力されたパケットを再生して、視聴可能となるように出力する装置である。
具体的には、再生装置１７ａは、例えば、パケットを再生する再生部と、再生部により再生されたパケットに基づく映像を表示する表示部と、再生部により再生されたパケットに基づく音声を出力する音声出力部と、などを備えて構成される。
【００８７】
制御部１７７は、例えば、図４に示すように、ＣＰＵ１７７１と、ＲＡＭ１７７２と、計時部１７７３と、記憶部１７７４と、などを備えて構成される。
【００８８】
ＣＰＵ１７７１は、例えば、記憶部１７７４に記憶された第２端末１７用の各種処理プログラムに従って各種の制御動作を行う。
【００８９】
ＲＡＮ１７７２は、例えば、ＣＰＵ１７７１によって実行される処理プログラムなどを展開するためのプログラム格納領域や、入力データや上記処理プログラムが実行される際に生じる処理結果などを格納するデータ格納領域などを備える。
【００９０】
計時部１７７３は、例えば、ＣＰＵ１７７１から入力される制御信号に従って、所与の計時処理を行う。
【００９１】
記憶部１７７４は、例えば、第２端末１７で実行可能なシステムプログラム、当該システムプログラムで実行可能な各種処理プログラム、これら各種処理プログラムを実行する際に使用されるデータ、ＣＰＵ１７７１によって演算処理された処理結果のデータなどを記憶する。なお、プログラムは、コンピュータが読み取り可能なプログラムコードの形で記憶部１７７４に記憶されている。
【００９２】
具体的には、記憶部１７７４は、例えば、図４に示すように、パケット作成プログラム１７７４ａと、ＬＡＮ送信制御プログラム１７７４ｂと、などを記憶している。
【００９３】
パケット作成プログラム１７７４ａは、例えば、アクセスポイント１３宛てのパケット（第１端末１５宛てのパケットや他の第２端末１７宛てのパケット）などを作成する機能を、ＣＰＵ１７７１に実現させる。
【００９４】
ＬＡＮ送信制御プログラム１７７４ｂは、例えば、ＬＡＮ送信部１７５及びＬＡＮ送受分離部１７１を制御して、パケット作成プログラム１７７４ａを実行したＣＰＵ１７７１により作成されたアクセスポイント１３宛てのパケット（第１端末１５宛てのパケットや他の第２端末１７宛てのパケット）を、アクセスポイント１３に対して送信させる機能を、ＣＰＵ１７７１に実現させる。
【００９５】
具体的には、例えば、パケット作成プログラム１７７４ａを実行したＣＰＵ１７７１が、第１端末１５宛てのパケットや他の第２端末１７宛てのパケットを作成した場合、ＣＰＵ１７７１は、例えば、そのパケットを、ＬＡＮ送信用変調部１７４により変調し、そして、ＬＡＮ送信部１７５及びＬＡＮ送受分離部１７１によりアクセスポイント１３に対して送信させるようになっている。
【００９６】
＜ＷｉＭＡＸ通信及びＷｉＦｉ通信でのパケットの送信＞
次に、無線通信システム１０００におけるＷｉＭＡＸ通信及びＷｉＦｉ通信でのパケットの送信について、図５を参照して説明する。
【００９７】
具体的には、第１端末１５は、基地局１１が上りフレームを受信する期間にのみ、アクセスポイント１３に対するパケットの送信を行うようになっている。すなわち、基地局１１が下りフレームを送信する期間は、第１端末１５によるアクセスポイント１３に対するパケットの送信は行われない。
したがって、第１端末１５は、アクセスポイント１３宛てのパケットの送信が禁止されている際に、基地局１１から送信された第１端末１５宛てのパケットを受信するため、第１端末１５によるＷｉＭＡＸ通信でのパケットの受信と、第１端末１５によるＷｉＦｉ通信でのパケットの送信と、が重なることがない。
【００９８】
また、アクセスポイント１３は、基地局１１から下りフレームが送信される期間にのみ、端末に対するパケットの送信を行うようになっている。すなわち、基地局１１が上りフレームを受信する期間は、アクセスポイント１３による第１端末１５や第２端末１７に対するパケットの送信は行われないため、第１端末１５によるアクセスポイント１３からのパケットの受信は行われない。
したがって、第１端末１５は、アクセスポイント１３によるパケットの送信が禁止されている際に、基地局１１宛てのパケットを送信するため、第１端末１５によるＷｉＭＡＸ通信でのパケットの送信と、第１端末１５によるＷｉＦｉ通信でのパケットの受信と、が重なることがない。
【００９９】
以上説明した第１の実施の形態の無線通信システム１０００によれば、基地局１１と、基地局１１と無線通信を行う第１端末１５と、第１端末１５と第２端末１７との間の無線通信を中継するアクセスポイント１３と、を備えている。
アクセスポイント１３は、第１端末１５や第２端末１７と無線ＬＡＮ通信（ＷｉＦｉ通信）を行うＬＡＮ送受分離部１３１、ＬＡＮ受信部１３２及びＬＡＮ送信部１３５を備えており、第１端末１５や第２端末１７に対してパケットを送信するようになっている。
また、第１端末１５は、アクセスポイント１３と無線ＬＡＮ通信（ＷｉＦｉ通信）を行うＬＡＮ送受分離部１５１、ＬＡＮ受信部１５２及びＬＡＮ送信部１５５を備えており、アクセスポイント１３に対してパケットを送信するようになっている。さらに、第１端末１５は、時分割方式（ＴＤＤ方式）によって、基地局１１とセルラー通信（ＷｉＭＡＸ通信）を行うセルラー送受分離部１５６、セルラー受信部１５７及びセルラー送信部１６０を備えており、下りフレームに含まれるヘッダ情報中のフレーム情報から、パケット受信期間に関する期間情報やパケット送信期間に関する期間情報を取得して、その取得された期間情報に基づくパケット送信期間に、基地局１１に対してパケットを送信するようになっている。
【０１００】
そして、アクセスポイント１３は、基地局１１から下りフレームが送信される期間にのみ、第１端末１５や第２端末１７に対するパケットの送信を行うようになっている。
すなわち、基地局１１が上りフレームを受信する期間は、アクセスポイント１３による第１端末１５や第２端末１７に対するパケットの送信は禁止されるため、第１端末１５によるアクセスポイント１３からのパケットの受信は行われない。したがって、第１端末１５によるセルラー通信（ＷｉＭＡＸ通信）でのパケットの送信と、第１端末１５による無線ＬＡＮ通信（ＷｉＦｉ通信）でのパケットの受信と、が重なることがないため、複数の無線通信の相互干渉の影響を低減することができる。
【０１０１】
また、第１端末１５は、基地局１１が上りフレームを受信する期間にのみ、アクセスポイント１３に対するパケットの送信を行うようになっている。
すなわち、基地局１１が下りフレームを送信する期間は、第１端末１５によるアクセスポイント１３に対するパケットの送信が禁止されるため、第１端末１５によるアクセスポイント１３に対するパケットの送信は行われない。したがって、第１端末１５によるセルラー通信（ＷｉＭＡＸ通信）でのパケットの受信と、第１端末１５による無線ＬＡＮ通信（ＷｉＦｉ通信）でのパケットの送信と、が重なることがないため、複数の無線通信の相互干渉の影響を低減することができる。
【０１０２】
また、基地局１１が上りフレームを受信する期間に、アクセスポイント１３による第１端末１５や第２端末１７に対するパケットの送信が禁止されて、基地局１１が下りフレームを送信する期間に、第１端末１５によるアクセスポイント１３に対するパケットの送信が禁止されるだけなので、一方の無線通信方式による通信（送受信）を行っている間、他方の無線通信方式による送信を遅延させたり、他方の無線通信方式による通信（送受信）を停止させたりする場合と比較して、複数の無線通信方式による通信が可能な期間の制限を軽減することができる。
【０１０３】
［第２の実施の形態］
次に、第２の実施の形態における無線通信システム２０００について説明する。
【０１０４】
＜無線通信システムの構成＞
図６に無線通信システム２０００の機能的構成を示すブロック図を示す。
なお、第２の実施の形態の無線通信システム２０００は、ＷｉＦｉ通信でのパケットの送信が許可されている期間が、第１の実施の形態の無線通信システム１０００と異なる。したがって、異なる箇所のみについて説明し、その他の共通する部分は同一符号を付して説明する。
【０１０５】
無線通信システム２０００は、例えば、図６に示すように、基地局１１と、基地局１１と無線通信を行う端末としての第１端末２５と、第１端末２５と他の装置（例えば、第２端末２７，２７）との間の無線通信を中継する中継装置としてのアクセスポイント２３と、などを備えて構成される。
【０１０６】
＜アクセスポイント＞
図７にアクセスポイント２３の機能的構成を示すブロック図を示す。
アクセスポイント２３は、例えば、ＬＡＮ送受分離部１３１と、ＬＡＮ受信部１３２と、ＬＡＮ受信用復調部１３３と、ＬＡＮ送信用変調部１３４と、ＬＡＮ送信部１３５と、制御部２３６と、などを備えて構成される。
【０１０７】
制御部２３６は、例えば、図７に示すように、ＣＰＵ１３６１と、ＲＡＭ１３６２と、計時部１３６３と、記憶部２３６４と、などを備えて構成される。
【０１０８】
記憶部２３６３は、例えば、図７に示すように、ＬＡＮ送信制御プログラム２３６４ａなどを記憶している。
【０１０９】
ＬＡＮ送信制御プログラム２３６４ａは、例えば、ＬＡＮ送信部１３５及びＬＡＮ送受分離部１３１を制御して、ＬＡＮ送受分離部１３１及びＬＡＮ受信部１３２により受信された第１端末２５や第２端末２７からのパケットを、第１端末２５や第２端末２７に対して送信させる機能を、ＣＰＵ１３６１に実現させる。
【０１１０】
ここで、第１の実施の形態では、アクセスポイント１３によるパケットの送信期間に制限があった。具体的には、アクセスポイント１３による端末に対するパケットの送信は、基地局１１から下りフレームが送信される期間のみに行われるようになっていた。
これに対し、第２の実施の形態では、アクセスポイント２３によるパケットの送信期間に制限はなく、アクセスポイント１３による端末に対するパケットの送信は、常時行えるようになっている。
【０１１１】
＜第１端末＞
図８に第１端末２５の機能的構成を示すブロック図を示す。
第１端末２５は、例えば、図８に示すように、ＬＡＮ送受分離部１５１と、ＬＡＮ受信部１５２と、ＬＡＮ受信用復調部１５３と、ＬＡＮ送信用変調部１５４と、ＬＡＮ送信部１５５と、セルラー送受分離部１５６と、セルラー受信部１５７と、セルラー受信用復調部１５８と、セルラー送信用変調部１５９と、セルラー送信部１６０と、出力部１６１と、制御部２６２と、などを備えて構成される。
【０１１２】
制御部２６２は、例えば、図８に示すように、ＣＰＵ１６２１と、ＲＡＭ１６２２と、計時部１６２３と、記憶部２６２４と、などを備えて構成される。
【０１１３】
記憶部２６２４は、例えば、図８に示すように、取得プログラム１６２４ａと、パケット作成プログラム１６２４ｂと、ＬＡＮ送信制御プログラム２６２４ｃと、セルラー送信制御プログラム１６２４ｄと、要求プログラム２６２４ｅと、などを記憶している。
【０１１４】
ＬＡＮ送信制御プログラム２６２４ｃは、例えば、ＬＡＮ送信部１５５及びＬＡＮ送受分離部１５１を制御して、パケット作成プログラム１６２４ｂを実行したＣＰＵ１６２１により作成されたアクセスポイント２３宛てのパケット（第２端末２７宛てのパケット）を、アクセスポイント２３に対して送信させる機能を、ＣＰＵ１６２１に実現させる。
【０１１５】
ここで、ＣＰＵ１６２１は、例えば、セルラー送受分離部１５６及びセルラー受信部１５７がフレーム情報を受信するフレーム情報受信期間と、取得プログラム１６２４ａを実行したＣＰＵ１６２１により取得された期間情報に基づくパケット受信期間と、にＬＡＮ送信部１５５及びＬＡＮ送受分離部１５１によるアクセスポイント２３に対するパケットの送信を停止するようになっている。
ここで、セルラー送受分離部１５６及びセルラー受信部１５７がヘッダ情報（基地局１１から送信された下りフレームに含まれるヘッダ情報）を受信する期間を、フレーム情報受信期間とする。
ＣＰＵ１６２１は、かかるＬＡＮ送信制御プログラム２６２４ｃを実行することによって、端末側無線ＬＡＮ送信制御手段として機能する。
【０１１６】
要求プログラム２６２４ｅは、例えば、ＬＡＮ送信部１５５及びＬＡＮ送受分離部１５１を制御して、取得プログラム１６２４ａを実行したＣＰＵ１６２１により取得された期間情報に基づくパケット送信期間の前に、当該パケット送信期間におけるＷｉＦｉ通信でのパケットの送信を停止するよう第２端末２７に対して要求する要求信号を、アクセスポイント２３に対して送信させる機能を、ＣＰＵ１６２１に実現させる。
【０１１７】
ここで、要求信号は、例えば、ＣＴＳ（Clear To Send）信号である。
具体的には、ＣＰＵ１６２１は、例えば、パケット送信期間の直前に、ＣＴＳ信号をアクセスポイント２３に対して送信して、ＷｉＦｉネットワークにブロードキャストする。これにより、第２端末２７及びアクセスポイント２３にＮＡＶ（Network Allocation Vector）を設定して、第２端末２７及びアクセスポイント２３によるＷｉＦｉ通信でのパケットの送信を停止（禁止）させる。
より具体的には、ＣＴＳ信号には、送信禁止期間（ＮＡＶ期間）に関する禁止期間情報が含まれており、ＣＰＵ１６２１は、例えば、パケット送信期間をＮＡＶ期間とした禁止期間情報を含むＣＴＳ信号をＷｉＦｉネットワークにブロードキャストすることによって、そのパケット送信期間だけ第２端末２７及びアクセスポイント２３によるＷｉＦｉ通信でのパケットの送信を停止（禁止）させる。
ＣＰＵ１６２１は、かかる要求プログラム２６２４ｅを実行することによって、端末側要求手段として機能する。
【０１１８】
＜第２端末＞
図９に第２端末２７の機能的構成を示すブロック図を示す。
第２端末２７は、例えば、図９に示すように、ＬＡＮ送受分離部１７１と、ＬＡＮ受信部１７２と、ＬＡＮ受信用復調部１７３と、ＬＡＮ送信用変調部１７４と、ＬＡＮ送信部１７５と、出力部１７６と、制御部２７７と、などを備えて構成される。
【０１１９】
制御部２７７は、例えば、図９に示すように、ＣＰＵ１７７１と、ＲＡＭ１７７２と、計時部１７７３と、記憶部２７７４と、などを備えて構成される。
【０１２０】
記憶部２７７４は、例えば、図９に示すように、パケット作成プログラム１７７４ａと、ＬＡＮ送信制御プログラム２７７４ｂと、などを記憶している。
【０１２１】
ＬＡＮ送信制御プログラム２７７４ｂは、例えば、ＬＡＮ送信部１７５及びＬＡＮ送受分離部１７１を制御して、パケット作成プログラム１７７４ａを実行したＣＰＵ１７７１により作成されたアクセスポイント２３宛てのパケット（第１端末２５宛てのパケットや他の第２端末２７宛てのパケット）を、アクセスポイント２３に対して送信させる機能を、ＣＰＵ１７７１に実現させる。
【０１２２】
具体的には、例えば、パケット作成プログラム１７７４ａを実行したＣＰＵ１７７１が、第１端末２５宛てのパケットや他の第２端末２７宛てのパケットを作成した場合、ＣＰＵ１７７１は、例えば、そのパケットを、ＬＡＮ送信用変調部１７４により変調し、そして、ＬＡＮ送信部１７５及びＬＡＮ送受分離部１７１によりアクセスポイント２３に対して送信させるようになっている。
【０１２３】
ここで、ＣＰＵ１７７１は、例えば、第２端末２７にＮＡＶが設定された場合、ＮＡＶ期間だけＬＡＮ送信部１７５及びＬＡＮ送受分離部１７１による全てのパケットの送信を停止（禁止）させるようになっている。
例えば、ＮＡＶ期間がパケット送信期間である場合、ＣＰＵ１７７１は、そのパケット送信期間だけＬＡＮ送信部１７５及びＬＡＮ送受分離部１７１による全てのパケットの送信を停止（禁止）させることになる。
同様に、アクセスポイント２３は、例えば、アクセスポイント２３にＮＡＶが設定された場合、ＮＡＶ期間だけＬＡＮ送信部１３５及びＬＡＮ送受分離部１３１による全てのパケットの送信を停止（禁止）させるようになっている。
したがって、ＮＡＶ期間だけは、第２端末２７及びアクセスポイント２３から全てのパケットが送信されないため、第１端末２５によるＷｉＦｉ通信でのパケットの受信は行われないことになる。
【０１２４】
＜ＷｉＭＡＸ通信及びＷｉＦｉ通信でのパケットの送信＞
次に、無線通信システム２０００におけるＷｉＭＡＸ通信及びＷｉＦｉ通信でのパケットの送信について、図１０を参照して説明する。
【０１２５】
具体的には、第１端末２５は、フレーム情報受信期間に、アクセスポイント２３に対するパケットの送信を停止するようになっている。
したがって、第１端末２５は、基地局１１から送信されたヘッダ情報を受信する際、アクセスポイント２３宛てのパケットの送信を停止しているため、第１端末２５によるＷｉＭＡＸ通信でのヘッダ情報の受信と、第１端末２５によるＷｉＦｉ通信でのパケットの送信と、が重なることがない。
【０１２６】
また、第１端末２５は、パケット受信期間に、アクセスポイント２３に対するパケットの送信を停止するようになっている。
したがって、第１端末２５は、基地局１１から送信された第１端末２５宛てのパケットを受信する際、アクセスポイント２３宛てのパケットの送信を停止しているため、第１端末２５によるＷｉＭＡＸ通信でのパケットの受信と、第１端末２５によるＷｉＦｉ通信でのパケットの送信と、が重なることがない。
【０１２７】
また、パケット送信期間の直前に、第１端末２５から第２端末２７及びアクセスポイント２３に対して要求信号（パケット送信期間をＮＡＶ期間とした禁止期間情報を含むＣＴＳ信号）が送信されるため、第２端末２７及びアクセスポイント２３にはＮＡＶ期間をパケット送信期間としたＮＡＶが設定される。したがって、パケット送信期間には、第２端末２７及びアクセスポイント２３による全てのパケットの送信が停止（禁止）されているため、第１端末２５によるアクセスポイント２３からのパケットの受信は行われない。
したがって、第１端末２５は、基地局１１宛てのパケットを送信する際、アクセスポイント２３からのパケット（第２端末２７からのパケット）を受信することがないため、第１端末２５によるＷｉＭＡＸ通信でのパケットの送信と、第１端末２５によるＷｉＦｉ通信でのパケットの受信と、が重なることがない。
【０１２８】
以上説明した第２の実施の形態の無線通信システム２０００によれば、第１端末２５は、フレーム情報受信期間とパケット受信期間とに、アクセスポイント２３に対するパケットの送信を停止するようになっている。
すなわち、第１端末２５が基地局１１からの送信を受信する期間は、第１端末２５によるアクセスポイント２３に対するパケットの送信が禁止される。したがって、第１端末２５によるセルラー通信（ＷｉＭＡＸ通信）でのパケットの受信と、第１端末２５による無線ＬＡＮ通信（ＷｉＦｉ通信）でのパケットの送信と、が重なることがないため、複数の無線通信の相互干渉の影響を低減することができる。
【０１２９】
また、第１端末２５は、パケット送信期間の前に、当該パケット送信期間における無線ＬＡＮ通信（ＷｉＦｉ通信）でのパケットの送信を停止するよう第２端末２７及びアクセスポイント２３に対して要求する要求信号（ＣＴＳ信号）を、アクセスポイント２３に対して送信するようになっている。
すなわち、第１端末２５が基地局１１に対してパケットを送信する期間は、第２端末２７及びアクセスポイント２３による全てのパケットの送信は禁止されるため、第１端末２５によるアクセスポイント２３からのパケットの受信は行われない。したがって、第１端末２５によるセルラー通信（ＷｉＭＡＸ通信）でのパケットの送信と、第１端末２５による無線ＬＡＮ通信（ＷｉＦｉ通信）でのパケットの受信と、が重なることがないため、複数の無線通信の相互干渉の影響を低減することができる。
【０１３０】
また、第１端末２５が基地局１１からの送信を受信する期間に、第１端末２５によるアクセスポイント２３に対するパケットの送信が禁止されて、第１端末２５が基地局１１に対してパケットを送信する期間に、第２端末２７及びアクセスポイント２３によるパケットの送信が禁止されるだけなので、一方の無線通信方式による通信（送受信）を行っている間、他方の無線通信方式による送信を遅延させたり、他方の無線通信方式による通信（送受信）を停止させたりする場合と比較して、複数の無線通信方式による通信が可能な期間の制限を軽減することができる。
【０１３１】
さらに、第１端末２５は、フレーム情報受信期間とパケット受信期間とに、アクセスポイント２３に対するパケットの送信を停止するが、それ以外の期間は停止しない。したがって、第１の実施の形態（すなわち、基地局１１が上りフレームを受信する期間にのみ、第１端末１５によるアクセスポイント１３に対するパケットの送信が行われる場合）と比較して、効率が良い。
また、第２端末２７がパケット送信期間にアクセスポイント２３に対するパケットの送信を停止するため、第１端末２５は、パケット送信期間に、アクセスポイント２３から送信されたパケットを受信しないが、それ以外の期間は受信する。したがって、第１の実施の形態（すなわち、基地局１１が下りフレームを送信する期間にのみに、アクセスポイント１３による第１端末１５に対するパケットの送信が行われる場合）と比較して、効率が良い。
【０１３２】
［第３の実施の形態］
次に、第３の実施の形態における無線通信システム３０００について説明する。
【０１３３】
＜無線通信システムの構成＞
図１１に無線通信システム３０００の機能的構成を示すブロック図を示す。
なお、第３の実施の形態の無線通信システム３０００は、アクセスポイント２３を介して第１端末３５から第２端末３７に送信される要求信号の内容が、第２の実施の形態の無線通信システム２０００と異なる。したがって、異なる箇所のみについて説明し、その他の共通する部分は同一符号を付して説明する。
【０１３４】
無線通信システム３０００は、例えば、図１１に示すように、基地局１１と、基地局１１と無線通信を行う端末としての第１端末３５と、第１端末３５と他の装置（例えば、第２端末３７，３７）との間の無線通信を中継する中継装置としてのアクセスポイント２３と、などを備えて構成される。
【０１３５】
＜第１端末＞
図１２に第１端末３５の機能的構成を示すブロック図を示す。
第１端末３５は、例えば、図１２に示すように、ＬＡＮ送受分離部１５１と、ＬＡＮ受信部１５２と、ＬＡＮ受信用復調部１５３と、ＬＡＮ送信用変調部１５４と、ＬＡＮ送信部１５５と、セルラー送受分離部１５６と、セルラー受信部１５７と、セルラー受信用復調部１５８と、セルラー送信用変調部１５９と、セルラー送信部１６０と、出力部１６１と、制御部３６２と、などを備えて構成される。
【０１３６】
制御部３６２は、例えば、図１２に示すように、ＣＰＵ１６２１と、ＲＡＭ１６２２と、計時部１６２３と、記憶部３６２４と、などを備えて構成される。
【０１３７】
記憶部３６２４は、例えば、図１２に示すように、取得プログラム１６２４ａと、パケット作成プログラム１６２４ｂと、ＬＡＮ送信制御プログラム２６２４ｃと、セルラー送信制御プログラム１６２４ｄと、要求プログラム３６２４ｅと、などを記憶している。
【０１３８】
要求プログラム３６２４ｅは、例えば、ＬＡＮ送信部１５５及びＬＡＮ送受分離部１５１を制御して、取得プログラム１６２４ａを実行したＣＰＵ１６２１により取得された期間情報に基づくパケット送信期間の前に、当該パケット送信期間におけるＷｉＦｉ通信での第１端末３５宛てのパケットの送信を停止するよう第２端末３７に対して要求する要求信号を、アクセスポイント２３に対して送信させる機能を、ＣＰＵ１６２１に実現させる。
【０１３９】
ここで、第２の実施の形態では、第１端末２５は、要求信号としてＣＴＳ信号を送信して、第２端末２７及びアクセスポイント２３にＮＡＶを設定するようになっていたため、第２端末２７及びアクセスポイント２３は、パケット送信期間に、第１端末２５宛てのパケットの送信だけでなく、全てのパケットの送信を停止していた。
これに対し、第３の実施の形態では、第１端末３５は、第１端末３５宛てのパケットの送信禁止を要求する要求信号を送信するため、第２端末３７及びアクセスポイント２３は、パケット送信期間に、第１端末３５宛てのパケットの送信のみを停止し、第１端末３５宛てのパケット以外のパケットの送信は停止しないようになっている。
【０１４０】
具体的には、ＣＰＵ１６２１は、例えば、パケット送信期間の直前に、第１端末３５宛てのパケットの送信禁止を要求する要求信号をアクセスポイント２３に対して送信して、ＷｉＦｉネットワークにブロードキャストする。これにより、第２端末３７及びアクセスポイント２３に第１端末３５宛てパケット送信禁止モードを設定して、第２端末３７及びアクセスポイント２３によるＷｉＦｉ通信での第１端末３５宛てのパケットの送信を停止（禁止）させる。
より具体的には、第１端末３５宛てのパケットの送信禁止を要求する要求信号には、送信禁止期間に関する禁止期間情報が含まれており、ＣＰＵ１６２１は、例えば、パケット送信期間を送信禁止期間とした禁止期間情報を含む要求信号をＷｉＦｉネットワークにブロードキャストすることによって、そのパケット送信期間だけ第２端末３７及びアクセスポイント２３によるＷｉＦｉ通信での第１端末３５宛てのパケットの送信を停止（禁止）させる。
ＣＰＵ１６２１は、かかる要求プログラム３６２４ｅを実行することによって、端末側要求手段として機能する。
【０１４１】
＜第２端末＞
図１３に第２端末３７の機能的構成を示すブロック図を示す。
第２端末３７は、例えば、図１３に示すように、ＬＡＮ送受分離部１７１と、ＬＡＮ受信部１７２と、ＬＡＮ受信用復調部１７３と、ＬＡＮ送信用変調部１７４と、ＬＡＮ送信部１７５と、出力部１７６と、制御部３７７と、などを備えて構成される。
【０１４２】
制御部３７７は、例えば、図１３に示すように、ＣＰＵ１７７１と、ＲＡＭ１７７２と、計時部１７７３と、記憶部３７７４と、などを備えて構成される。
【０１４３】
記憶部３７７４は、例えば、図１３に示すように、パケット作成プログラム１７７４ａと、ＬＡＮ送信制御プログラム３７７４ｂと、などを記憶している。
【０１４４】
ＬＡＮ送信制御プログラム３７７４ｂは、例えば、ＬＡＮ送信部１７５及びＬＡＮ送受分離部１７１を制御して、パケット作成プログラム１７７４ａを実行したＣＰＵ１７７１により作成されたアクセスポイント２３宛てのパケット（第１端末２５宛てのパケットや他の第２端末２７宛てのパケット）を、アクセスポイント２３に対して送信させる機能を、ＣＰＵ１７７１に実現させる。
【０１４５】
ここで、ＣＰＵ１７７１は、例えば、第２端末３７に第１端末３５宛てパケット送信禁止モードが設定された場合、送信禁止期間だけＬＡＮ送信部１７５及びＬＡＮ送受分離部１７１による第１端末３５宛てのパケットの送信を停止（禁止）させるようになっている。
例えば、送信禁止期間がパケット送信期間である場合、ＣＰＵ１７７１は、そのパケット送信期間だけＬＡＮ送信部１７５及びＬＡＮ送受分離部１７１による第１端末３５宛てのパケットの送信を停止（禁止）させることになる。
同様に、アクセスポイント２３は、例えば、アクセスポイント２３に第１端末３５宛てパケット送信禁止モードが設定された場合、送信禁止期間だけＬＡＮ送信部１３５及びＬＡＮ送受分離部１３１による第１端末３５宛てのパケットの送信を停止（禁止）させるようになっている。
したがって、送信禁止期間だけは、第２端末３７及びアクセスポイント２３からは第１端末３５宛てのパケットが送信されないため、第１端末３５によるＷｉＦｉ通信でのパケットの受信は行われないことになる。
【０１４６】
＜ＷｉＭＡＸ通信及びＷｉＦｉ通信でのパケットの送信＞
次に、無線通信システム３０００におけるＷｉＭＡＸ通信及びＷｉＦｉ通信でのパケットの送信について、図１４を参照して説明する。
【０１４７】
具体的には、第１端末３５は、フレーム情報受信期間に、アクセスポイント２３に対するパケットの送信を停止するようになっている。
したがって、第１端末３５は、基地局１１から送信されたヘッダ情報を受信する際、アクセスポイント２３宛てのパケットの送信を停止しているため、第１端末３５によるＷｉＭＡＸ通信でのヘッダ情報の受信と、第１端末３５によるＷｉＦｉ通信でのパケットの送信と、が重なることがない。
【０１４８】
また、第１端末３５は、パケット受信期間に、アクセスポイント２３に対するパケットの送信を停止するようになっている。
したがって、第１端末３５は、基地局１１から送信された第１端末３５宛てのパケットを受信する際、アクセスポイント２３宛てのパケットの送信を停止しているため、第１端末３５によるＷｉＭＡＸ通信でのパケットの受信と、第１端末３５によるＷｉＦｉ通信でのパケットの送信と、が重なることがない。
【０１４９】
また、パケット送信期間の直前に、第１端末３５から第２端末３７及びアクセスポイント２３に対して要求信号（パケット送信期間をＮＡＶ期間とした禁止期間情報を含む、第１端末３５宛てのパケットの送信禁止を要求する要求信号）が送信されるため、第２端末３７及びアクセスポイント２３には送信禁止期間をパケット送信期間とした第１端末３５宛てパケット送信禁止モードが設定される。したがって、パケット送信期間には、第２端末３７及びアクセスポイント２３による第１端末３５宛てのパケットの送信が停止（禁止）されているため、第１端末３５によるアクセスポイント２３からのパケットの受信は行われない。
したがって、第１端末３５は、基地局１１宛てのパケットを送信する際、アクセスポイント２３による第１端末３５宛てのパケット（第２端末２７からのパケット）を受信することがないため、第１端末３５によるＷｉＭＡＸ通信でのパケットの送信と、第１端末３５によるＷｉＦｉ通信でのパケットの受信と、が重なることがない。
【０１５０】
なお、第２端末３７は、パケット送信期間に、第１端末３７宛てのパケットの送信を停止するが、他の第２端末３７宛てのパケットの送信は停止しない。したがって、パケット送信期間に、第２端末３７によるアクセスポイント２３に対するパケット（第１端末３５宛てのパケットや他の第２端末３７宛てのパケット）の送信が停止される場合と比較して、効率が良い。
【０１５１】
以上説明した第３の実施の形態の無線通信システム３０００によれば、第１端末３５は、フレーム情報受信期間とパケット受信期間とに、アクセスポイント２３に対するパケットの送信を停止するようになっている。
すなわち、第１端末３５が基地局１１からの送信を受信する期間は、第１端末３５によるアクセスポイント２３に対するパケットの送信が禁止される。したがって、第１端末３５によるセルラー通信（ＷｉＭＡＸ通信）でのパケットの受信と、第１端末３５による無線ＬＡＮ通信（ＷｉＦｉ通信）でのパケットの送信と、が重なることがないため、複数の無線通信の相互干渉の影響を低減することができる。
【０１５２】
また、第１端末３５は、パケット送信期間の前に、当該パケット送信期間における無線ＬＡＮ通信（ＷｉＦｉ通信）での第１端末３５宛てのパケットの送信を停止するよう第２端末３７及びアクセスポイント２３に対して要求する要求信号（第１端末３５宛てのパケットの送信禁止を要求する要求信号）を、アクセスポイント２３に対して送信するようになっている。
すなわち、第１端末３５が基地局１１に対してパケットを送信する期間は、第２端末３７及びアクセスポイント２３による第１端末３５宛てのパケットの送信は禁止されるため、第１端末２５によるアクセスポイント２３からのパケットの受信は行われない。したがって、第１端末３５によるセルラー通信（ＷｉＭＡＸ通信）でのパケットの送信と、第１端末３５による無線ＬＡＮ通信（ＷｉＦｉ通信）でのパケットの受信と、が重なることがないため、複数の無線通信の相互干渉の影響を低減することができる。
【０１５３】
また、第１端末３５が基地局１１からの送信を受信する期間に、第１端末３５によるアクセスポイント２３に対するパケットの送信が禁止されて、第１端末３５が基地局１１に対してパケットを送信する期間に、第２端末３７及びアクセスポイント２３による第１端末３５に対するパケットの送信が禁止されるだけなので、一方の無線通信方式による通信（送受信）を行っている間、他方の無線通信方式による送信を遅延させたり、他方の無線通信方式による通信（送受信）を停止させたりする場合と比較して、複数の無線通信方式による通信が可能な期間の制限を軽減することができる。
【０１５４】
さらに、第２端末３７は、パケット送信期間に、第１端末３７宛てのパケットの送信を停止するが、他の第２端末３７宛てのパケットの送信は停止しない。したがって、第２の実施の形態（すなわち、パケット送信期間に、第２端末３７による第１端末３５宛てのパケットや他の第２端末３７宛てのパケットの送信が停止される場合）と比較して、効率が良い。
【０１５５】
［第４の実施の形態］
次に、第４の実施の形態における無線通信システム４０００について説明する。
【０１５６】
＜無線通信システムの構成＞
図１５に無線通信システム４０００の機能的構成を示すブロック図を示す。
なお、第４の実施の形態の無線通信システム４０００は、パケット送信期間に、アクセスポイント４３が自発的に第１端末４５宛てのパケットの送信を停止する点のみが、第２の実施の形態の無線通信システム２０００と異なる。したがって、異なる箇所のみについて説明し、その他の共通する部分は同一符号を付して説明する。
【０１５７】
無線通信システム４０００は、例えば、図１５に示すように、基地局１１と、基地局１１と無線通信を行う端末としての第１端末４５と、第１端末４５と他の装置（例えば、第２端末２７，２７）との間の無線通信を中継する中継装置としてのアクセスポイント４３と、などを備えて構成される。
【０１５８】
＜アクセスポイント＞
図１６にアクセスポイント４３の機能的構成を示すブロック図を示す。
アクセスポイント４３は、例えば、アクセスポイント４３と接続する端末（第１端末４５や第２端末２７）との間で無線ＬＡＮ通信（ＷｉＦｉ通信）を行う無線ＬＡＮアクセスポイントである。
また、アクセスポイント４３は、例えば、アクセスポイント４３と接続する基地局１１との間でセルラー通信（ＷｉＭＡＸ通信）を行って、基地局１１から送信されたヘッダ情報を受信できるよう構成されている。
【０１５９】
具体的には、アクセスポイント４３は、例えば、ＬＡＮ送受分離部１３１と、ＬＡＮ受信部１３２と、ＬＡＮ受信用復調部１３３と、ＬＡＮ送信用変調部１３４と、ＬＡＮ送信部１３５と、制御部４３６と、セルラー送受分離部４３７と、セルラー受信部４３８と、セルラー受信用復調部４８９と、などを備えて構成される。
【０１６０】
セルラー送受分離部４３７は、例えば、セルラー通信用アンテナ４３７ａを有しており、アクセスポイント４３とセルラーネットワーク（ＷｉＭＡＸネットワーク）を介して接続する基地局１１との間で、セルラー通信を行う。
具体的には、セルラー送受分離部４３７は、例えば、制御部４３６から入力される制御信号に従って、基地局１１から送信された下りフレームに含まれるヘッダ情報を受信してセルラー受信部４３８に出力する。
【０１６１】
セルラー受信部４３８は、例えば、制御部４３６から入力される制御信号に従って、セルラー送受分離部４３７から入力されたヘッダ情報をセルラー受信用復調部４３９に出力する。
【０１６２】
なお、時分割方式によって、基地局１１とセルラー通信を行う中継側セルラー通信手段は、例えば、セルラー送受分離部４３７と、セルラー受信部４３８と、からなる。
【０１６３】
セルラー受信用復調部４８９は、例えば、制御部４３６から入力される制御信号に従って、セルラー受信部４３８から入力されたヘッダ情報を復調して所定の処理を施し、制御部４３６に出力する。
【０１６４】
制御部４３６は、例えば、図１６に示すように、ＣＰＵ１３６１と、ＲＡＭ１３６２と、計時部１３６３と、記憶部４３６４と、などを備えて構成される。
【０１６５】
記憶部５３６３は、例えば、図１６に示すように、ＬＡＮ送信制御プログラム４３６４ａと、取得プログラム４３６４ｂと、などを記憶している。
【０１６６】
取得プログラム４３６４ｂは、例えば、基地局１１から送信された下りフレームに含まれるヘッダ情報中のフレーム情報から、当該下りフレームの次に通信される上りフレームに含まれる第１端末４５からのパケット（基地局１１宛てのパケット）を第１端末４５が送信するパケット送信期間に関する期間情報を取得する機能を、ＣＰＵ１３６１に実現させる。
ＣＰＵ１３６１は、かかる取得プログラム４３６４ｂを実行することによって、中継側取得手段として機能する。
【０１６７】
ＬＡＮ送信制御プログラム４３６４ａは、例えば、ＬＡＮ送信部１３５及びＬＡＮ送受分離部１３１を制御して、ＬＡＮ送受分離部１３１及びＬＡＮ受信部１３２により受信された第１端末４５や第２端末２７からのパケットを、第１端末４５や第２端末２７に対して送信させる機能を、ＣＰＵ１３６１に実現させる。
【０１６８】
ここで、ＣＰＵ１３６１は、例えば、セルラー送受分離部４３７及びセルラー受信部４３８２がフレーム情報を受信するフレーム情報受信期間に、ＬＡＮ送信部１３５及びＬＡＮ送受分離部１３１による第１端末４５や第２端末２７に対するパケットの送信を停止するとともに、取得プログラム４３６４ｂを実行したＣＰＵ１３６１により取得された期間情報に基づくパケット送信期間に、ＬＡＮ送信部１３５及びＬＡＮ送受分離部１３１による第１端末４５に対するパケットの送信を停止するようになっている。
すなわち、ＣＰＵ１３６１は、例えば、フレーム情報受信期間に、第１端末４５宛てのパケットや第２端末２７宛てのパケットの送信を停止するとともに、パケット送信期間に、第１端末４５宛てのパケットの送信を停止する。
ＣＰＵ１３６１は、かかるＬＡＮ送信制御プログラム４３６４ａを実行することによって、中継側無線ＬＡＮ送信制御手段として機能する。
【０１６９】
図１７に第１端末４５の機能的構成を示すブロック図を示す。
第１端末４５は、例えば、図１７に示すように、ＬＡＮ送受分離部１５１と、ＬＡＮ受信部１５２と、ＬＡＮ受信用復調部１５３と、ＬＡＮ送信用変調部１５４と、ＬＡＮ送信部１５５と、セルラー送受分離部１５６と、セルラー受信部１５７と、セルラー受信用復調部１５８と、セルラー送信用変調部１５９と、セルラー送信部１６０と、出力部１６１と、制御部４６２と、などを備えて構成される。
【０１７０】
制御部４６２は、例えば、図１７に示すように、ＣＰＵ１６２１と、ＲＡＭ１６２２と、計時部１６２３と、記憶部４６２４と、などを備えて構成される。
【０１７１】
記憶部４６２４は、例えば、図１７に示すように、取得プログラム１６２４ａと、パケット作成プログラム１６２４ｂと、ＬＡＮ送信制御プログラム２６２４ｃと、セルラー送信制御プログラム１６２４ｄと、などを記憶している。
すなわち、第４の実施の形態の記憶部４６２４は、要求プログラム２６２４ｅを備えていない点のみが、第２の実施の形態の記憶部２６２４と異なる。
【０１７２】
＜ＷｉＭＡＸ通信及びＷｉＦｉ通信でのパケットの送信＞
次に、無線通信システム４０００におけるＷｉＭＡＸ通信及びＷｉＦｉ通信でのパケットの送信について、図１８を参照して説明する。
【０１７３】
具体的には、アクセスポイント４３は、フレーム情報受信期間に、第１端末４５や第２端末２７に対するパケットの送信を停止するようになっている。
したがって、アクセスポイント４３は、基地局１１から送信されたヘッダ情報を受信する際、第１端末４５宛てのパケットや第２端末２７宛てのパケットの送信を停止しているため、確実にヘッダ情報を受信することができる。
【０１７４】
また、第１端末４５は、フレーム情報受信期間に、アクセスポイント４３に対するパケットの送信を停止するようになっている。
したがって、第１端末４５は、基地局１１から送信されたヘッダ情報を受信する際、アクセスポイント４３宛てのパケットの送信を停止しているため、第１端末４５によるＷｉＭＡＸ通信でのヘッダ情報の受信と、第１端末４５によるＷｉＦｉ通信でのパケットの送信と、が重なることがない。
【０１７５】
また、第１端末４５は、パケット受信期間に、アクセスポイント４３に対するパケットの送信を停止するようになっている。
したがって、第１端末４５は、基地局１１から送信された第１端末４５宛てのパケットを受信する際、アクセスポイント４３宛てのパケットの送信を停止しているため、第１端末４５によるＷｉＭＡＸ通信でのパケットの受信と、第１端末４５によるＷｉＦｉ通信でのパケットの送信と、が重なることがない。
【０１７６】
また、アクセスポイント４３は、パケット送信期間に、第１端末４５に対するパケットの送信を停止するようになっている。
したがって、第１端末４５は、基地局１１宛てのパケットを送信する際、アクセスポイント４３からのパケットを受信することがないため、第１端末４５によるＷｉＭＡＸ通信でのパケットの送信と、第１端末４５によるＷｉＦｉ通信でのパケットの受信と、が重なることがない。
【０１７７】
なお、アクセスポイント４３は、パケット送信期間に、第１端末４５宛てのパケットの送信を停止するが、第２端末２７宛てのパケットの送信は停止しない。したがって、パケット送信期間に、アクセスポイント４３によるパケット（第１端末４５宛てのパケットや第２端末２７宛てのパケット）の送信が停止される場合と比較して、効率が良い。
【０１７８】
以上説明した第４の実施の形態の無線通信システム４０００によれば、第１端末４５は、フレーム情報受信期間とパケット受信期間とに、アクセスポイント４３に対するパケットの送信を停止するようになっている。
すなわち、第１端末４５が基地局１１からの送信を受信する期間は、第１端末４５によるアクセスポイント４３に対するパケットの送信が禁止される。したがって、第１端末４５によるセルラー通信（ＷｉＭＡＸ通信）でのパケットの受信と、第１端末４５による無線ＬＡＮ通信（ＷｉＦｉ通信）でのパケットの送信と、が重なることがないため、複数の無線通信の相互干渉の影響を低減することができる。
【０１７９】
また、アクセスポイント４３は、下りフレームに含まれるヘッダ情報中のフレーム情報から、パケット送信期間に関する期間情報を取得するようになっており、フレーム情報受信期間とパケット送信期間とに、第１端末４５に対するパケットの送信を停止するようになっている。
すなわち、第１端末４５が基地局１１に対してパケットを送信する期間は、アクセスポイント４３による第１端末４５宛てのパケットの送信は禁止されるため、第１端末４５によるアクセスポイント４３からのパケットの受信は行われない。したがって、第１端末４５によるセルラー通信（ＷｉＭＡＸ通信）でのパケットの送信と、第１端末４５による無線ＬＡＮ通信（ＷｉＦｉ通信）でのパケットの受信と、が重なることがないため、複数の無線通信の相互干渉の影響を低減することができる。
【０１８０】
また、第１端末４５が基地局１１からの送信を受信する期間に、第１端末４５によるアクセスポイント４３に対するパケットの送信が禁止されて、第１端末４５が基地局１１に対してパケットを送信する期間に、アクセスポイント４３による第１端末４５に対するパケットの送信が禁止されるだけなので、一方の無線通信方式による通信（送受信）を行っている間、他方の無線通信方式による送信を遅延させたり、他方の無線通信方式による通信（送受信）を停止させたりする場合と比較して、複数の無線通信方式による通信が可能な期間の制限を軽減することができる。
【０１８１】
さらに、アクセスポイント４３は、パケット送信期間に、第１端末４５に対するパケットの送信を停止するが、第２端末２７に対するパケットの送信は停止しない。したがって、第２の実施の形態（すなわち、パケット送信期間に、アクセスポイント４３による第１端末４５宛てのパケットや第２端末２７宛てのパケットの送信が停止される場合）と比較して、効率が良い。
【０１８２】
［第５の実施の形態］
次に、第５の実施の形態における無線通信システム５０００について説明する。
【０１８３】
＜無線通信システムの構成＞
図１９に無線通信システム５０００の機能的構成を示すブロック図を示す。
なお、第５の実施の形態の無線通信システム５０００は、中継装置として、第１端末５５と基地局１１との間の通信を中継するとともに、第１端末５５と第２端末２７との間の通信を中継する中継器５３を備えており、そして、中継器５３が、第１端末５５から送信された基地局１１宛てのパケットを受信して基地局１１に送信する中継処理を行う点が、第２の実施の形態の無線通信システム２０００と異なる。したがって、異なる箇所のみについて説明し、その他の共通する部分は同一符号を付して説明する。
【０１８４】
具体的には、無線通信システム５０００は、例えば、図１９に示すように、基地局１１と、基地局１１と無線通信を行う端末としての第１端末５５と、第１端末５５と他の装置（例えば、基地局１１や第２端末２７，２７）との間の無線通信を中継する中継装置としての中継器５３と、などを備えて構成される。
無線通信システム５０００においては、例えば、基地局１１、中継器５３及び第１端末５５でセルラーシステムを構成し、第１端末５５、第２端末２７及び中継器５３で無線ＬＡＮシステムを構成している。
【０１８５】
＜中継器＞
図２０に中継器５３の機能的構成を示すブロック図を示す。
中継器５３は、例えば、中継器５３と接続する端末（第１端末５５や第２端末２７）との間で無線ＬＡＮ通信（ＷｉＦｉ通信）を行うとともに、中継器５３と接続する基地局１１との間で時分割方式のセルラー通信（ＴＤＤ方式のＷｉＭＡＸ通信）を行う、セルラー通信・無線ＬＡＮ通信共用中継器である。
【０１８６】
具体的には、中継器５３は、例えば、ＬＡＮ送受分離部１３１と、ＬＡＮ受信部１３２と、ＬＡＮ受信用復調部５３３と、ＬＡＮ送信用変調部１３４と、ＬＡＮ送信部１３５と、制御部５３６と、セルラー送受分離部５３７と、セルラー受信部５３８と、セルラー受信用復調部５３９と、セルラー送信用変調部５４０と、セルラー送信部５４１と、などを備えて構成される。
【０１８７】
ＬＡＮ受信用復調部５３３は、例えば、制御部５３６から入力される制御信号に従って、ＬＡＮ受信部１３２から入力されたパケットを復調して所定の処理を施す。そして、そのパケットが第１端末５５宛てのパケット又は第２端末１７宛てのパケットであれば、ＬＡＮ送信用変調部１３４に出力し、そのパケットが基地局１１宛てのパケットであれば、セルラー送信用変調部５４０に出力する。
【０１８８】
セルラー送受分離部５３７は、例えば、セルラー通信用アンテナ５３７ａを有しており、中継器５３とセルラーネットワーク（ＷｉＭＡＸネットワーク）を介して接続する基地局１１や第１端末５５との間で、セルラー通信を行う。
具体的には、セルラー送受分離部５３７は、例えば、制御部５３６から入力される制御信号に従って、セルラー送信部５４１から入力されたパケット（基地局１１宛てのパケット）を基地局１１に対して送信する。
また、セルラー送受分離部５３７は、例えば、制御部５３６から入力される制御信号に従って、基地局１１から送信された下りフレームに含まれるヘッダ情報を受信してセルラー受信部５３８に出力する。
【０１８９】
セルラー受信部５３８は、例えば、制御部５３６から入力される制御信号に従って、セルラー送受分離部５３７から入力されたヘッダ情報をセルラー受信用復調部５３９に出力する。
【０１９０】
セルラー受信用復調部５８９は、例えば、制御部５３６から入力される制御信号に従って、セルラー受信部５３８から入力されたヘッダ情報を復調して所定の処理を施し、制御部５３６に出力する。
【０１９１】
セルラー送信用変調部５４０は、例えば、制御部５３６から入力される制御信号に従って、ＬＡＮ送信用復調部５３３から入力されたパケット（基地局１１宛てのパケット）を再度変調して、セルラー送信部５４１に出力する。
【０１９２】
セルラー送信部５４１は、例えば、制御部５３６から入力される制御信号に従って、セルラー送信用変調部５４０から入力されたパケット（基地局１１宛てのパケット）をセルラー送受分離部５３７に出力する。
【０１９３】
なお、時分割方式によって、基地局１１とセルラー通信を行う中継側セルラー通信手段は、例えば、セルラー送受分離部５３７と、セルラー受信部５３８と、セルラー送信部５４１と、からなる。
【０１９４】
制御部５３６は、例えば、図２０に示すように、ＣＰＵ１３６１と、ＲＡＭ１３６２と、計時部１３６３と、記憶部５３６４と、などを備えて構成される。
【０１９５】
記憶部５３６３は、例えば、図２０に示すように、ＬＡＮ送信制御プログラム５３６４ａと、取得プログラム５３６４ｂと、要求プログラム５３６４ｃと、セルラー送信制御プログラム５３６４ｄと、などを記憶している。
【０１９６】
取得プログラム５３６４ｂは、例えば、基地局１１から送信された下りフレームに含まれるヘッダ情報中のフレーム情報から、当該下りフレームの次に通信される上りフレームに含まれる第１端末５５からのパケット（基地局１１宛てのパケット）を中継器５３が中継するパケット中継期間に関する期間情報を取得する機能を、ＣＰＵ１６２１に実現させる。
【０１９７】
具体的には、例えば、セルラー送受分離部５３７及びセルラー受信部５３８が、基地局１１から送信された下りフレームに含まれるヘッダ情報を受信すると、ＣＰＵ１３６１は、例えば、そのヘッダ情報に含まれるフレーム情報を構成する上り期間情報の中から、その下りフレームの次に通信される上りフレームのデータ領域中に割り当てられる第１端末５５からのパケット用の領域の位置（すなわち、第１端末５５から送信される基地局１１宛てのパケットを基地局１１が受信するタイミング（期間））に関する情報を、基地局１１宛てのパケットを中継器５３が中継するパケット中継期間に関する期間情報として取得する。
ＣＰＵ１３６１は、かかる取得プログラム５３６４ｂを実行することによって、中継側取得手段として機能する。
【０１９８】
要求プログラム５３６４ｃは、例えば、ＬＡＮ送信部１３５及びＬＡＮ送受分離部１３１を制御して、取得プログラム５３６４ｂを実行したＣＰＵ１３６１により取得された期間情報に基づくパケット中継期間の前に、第１端末５５からのパケットを送信するよう要求する要求信号を第１端末５５に対して送信させる機能を、ＣＰＵ１３６１に実現させる。
【０１９９】
ここで、要求信号は、例えば、基地局１１宛てのパケットを送信するよう要求するポーリング信号である。
具体的には、ＣＰＵ１３６１は、例えば、パケット中継期間の前に、ＰＩＦＳ（Point Inter Frame Space）の間、ＷｉＦｉ通信路が空いていることを確認すると、基地局１１宛てのパケットを送信するよう要求するポーリング信号を、第１端末５５に送信する。
ＣＰＵ１３６１は、かかる要求プログラム５３６４ｃを実行することによって、中継側要求手段として機能する。
【０２００】
セルラー送信制御プログラム５３６４ｄは、例えば、セルラー送信部５４１及びセルラー送受分離部５３７を制御して、取得プログラム５３６４ｂを実行したＣＰＵ１３６１により取得された期間情報に基づくパケット中継期間に、ＬＡＮ送信部１３５及びＬＡＮ送受分離部１３１により送信された要求信号（ポーリング信号）に従って第１端末５５から送信された第１端末５５からのパケット（基地局１１宛てのパケット）を基地局１１に対して送信させる機能を、ＣＰＵ１３６１に実現させる。
ＣＰＵ１３６１は、かかるセルラー送信制御プログラム５３６４ｄを実行することによって、中継側セルラー送信制御手段として機能する。
【０２０１】
ＬＡＮ送信制御プログラム５３６４ａは、例えば、ＬＡＮ送信部１３５及びＬＡＮ送受分離部１３１を制御して、ＬＡＮ送受分離部１３１及びＬＡＮ受信部１３２により受信された第１端末５５や第２端末２７からのパケットを、第１端末５５や第２端末２７に対して送信させる機能を、ＣＰＵ１３６１に実現させる。
【０２０２】
ここで、ＣＰＵ１３６１は、例えば、セルラー送受分離部５３７及びセルラー受信部５３８がフレーム情報を受信するフレーム情報受信期間に、ＬＡＮ送信部１３５及びＬＡＮ送受分離部１３１による第１端末５５や第２端末２７に対するパケットの送信を停止するようになっている。
ＣＰＵ１３６１は、かかるＬＡＮ送信制御プログラム５３６４ａを実行することによって、中継側無線ＬＡＮ送信制御手段として機能する。
【０２０３】
図２１に第１端末５５の機能的構成を示すブロック図を示す。
第１端末５５は、例えば、図２１に示すように、ＬＡＮ送受分離部１５１と、ＬＡＮ受信部１５２と、ＬＡＮ受信用復調部１５３と、ＬＡＮ送信用変調部１５４と、ＬＡＮ送信部１５５と、セルラー送受分離部１５６と、セルラー受信部１５４と、セルラー受信用復調部１５８と、セルラー送信用変調部１５９と、セルラー送信部１６０と、出力部１６１と、制御部５６２と、などを備えて構成される。
【０２０４】
制御部５６２は、例えば、図２１に示すように、ＣＰＵ１６２１と、ＲＡＭ１６２２と、計時部１６２３と、記憶部５６２４と、などを備えて構成される。
【０２０５】
記憶部５６２４は、例えば、図２１に示すように、取得プログラム１６２４ａと、パケット作成プログラム１６２４ｂと、ＬＡＮ送信制御プログラム５６２４ｃと、などを記憶している。
【０２０６】
ＬＡＮ送信制御プログラム５６２４ｃは、例えば、ＬＡＮ送信部１５５及びＬＡＮ送受分離部１５１を制御して、パケット作成プログラム１６２４ｂを実行したＣＰＵ１６２１により作成された中継器５３宛てのパケット（第２端末１７宛てのパケットや基地局１１宛てのパケット）を、中継器５３に対して送信させる機能を、ＣＰＵ１６２１に実現させる。
【０２０７】
具体的には、例えば、パケット作成プログラム１６２４ｂを実行したＣＰＵ１６２１が、第２端末２７宛てのパケットを作成した場合、ＣＰＵ１３６１は、例えば、そのパケットを、ＬＡＮ送信用変調部１５４により変調し、そして、ＬＡＮ送信部１５５及びＬＡＮ送受分離部１５１により中継器５３に対して送信させるようになっている。
また、例えば、パケット作成プログラム１６２４ｂを実行したＣＰＵ１６２１が、基地局１１宛てのパケットを作成した場合、ＣＰＵ１３６１は、例えば、そのパケットを、ＬＡＮ送信用変調部１５４により変調し、そして、ＬＡＮ送受分離部１５１及びＬＡＮ受信部１５２が、中継器５３のＬＡＮ送信部１３５及びＬＡＮ送受分離部１３１から送信された要求信号（基地局１１宛てのパケットを送信するよう要求するポーリング信号）を受信すると、その作成した基地局１１宛てのパケットを、ＬＡＮ送信部１５５及びＬＡＮ送受分離部１５１に中継器５３に対して送信させるようになっている。
ＣＰＵ１６２１は、かかるＬＡＮ送信制御プログラム５６２４ｃを実行することによって、端末側無線ＬＡＮ送信制御手段として機能する。
【０２０８】
＜ＷｉＭＡＸ通信及びＷｉＦｉ通信でのパケットの送信＞
次に、無線通信システム５０００におけるＷｉＭＡＸ通信及びＷｉＦｉ通信でのパケットの送信について、図２２を参照して説明する。
【０２０９】
具体的には、中継器５３は、フレーム情報受信期間に、第１端末５５や第２端末２７に対するパケットの送信を停止するようになっている。
したがって、中継器５３は、基地局１１から送信されたヘッダ情報を受信する際、第１端末５５宛てのパケットや第２端末２７宛てのパケットの送信を停止しているため、確実にヘッダ情報を受信することができる。
【０２１０】
また、第１端末５５は、フレーム情報受信期間に、中継器５３に対するパケットの送信を停止するようになっている。
したがって、第１端末５５は、基地局１１から送信されたヘッダ情報を受信する際、中継器５３宛てのパケットの送信を停止しているため、第１端末５５によるＷｉＭＡＸでのヘッダ情報の受信と、第１端末５５によるＷｉＦｉ通信でのパケットの送信と、が重なることがない。
【０２１１】
また、第１端末５５は、パケット受信期間に、中継器５３に対するパケットの送信を停止するようになっている。
したがって、第１端末５５は、基地局１１から送信された第１端末５５宛てのパケットを受信する際、中継器５３宛てのパケットの送信は停止されているため、第１端末５５によるＷｉＭＡＸ通信でのパケットの受信と、第１端末５５によるＷｉＦｉ通信でのパケットの送信と、が重なることがない。
【０２１２】
また、パケット中継期間の前に、中継器５３から第１端末５５に対して要求信号（基地局１１宛てのパケットを送信するよう要求するポーリング信号）が送信される。そして、第１端末５５は、その要求に従って、基地局１１宛てのパケットを中継器５３に対して送信し、中継器５３は、パケット中継期間に、そのパケットを基地局１１に対して送信するようになっている。
したがって、第１端末５５による基地局１１に対するパケットの送信が行われないため、第１端末５５によるＷｉＭＡＸ通信でのパケットの送信と、第１端末５５によるＷｉＦｉ通信でのパケットの受信と、が重なることがない。
【０２１３】
以上説明した第５の実施の形態の無線通信システム５０００によれば、基地局１１と、基地局１１と無線通信を行う第１端末５５と、第１端末５５と基地局１１や第２端末２７との間の無線通信を中継する中継器５３と、を備えている。
第１端末５５は、フレーム情報受信期間とパケット受信期間とに、中継器５３に対するパケットの送信を停止するようになっている。
すなわち、第１端末５５が基地局１１からの送信を受信する期間は、第１端末５５による中継器５３に対するパケットの送信が禁止される。したがって、第１端末５５によるセルラー通信（ＷｉＭＡＸ通信）でのパケットの受信と、第１端末５５による無線ＬＡＮ通信（ＷｉＦｉ通信）でのパケットの送信と、が重なることがないため、複数の無線通信の相互干渉の影響を低減することができる。
【０２１４】
また、中継器５３は、下りフレームに含まれるヘッダ情報中のフレーム情報から、当該下りフレームの次に通信される上りフレームに含まれる第１端末５５からのパケットを中継器５３が中継するパケット中継期間に関する期間情報を取得して、その取得された期間情報に基づくパケット中継期間の前に、第１端末５５からのパケット（基地局１１宛てのパケット）を送信するよう要求する要求信号（ポーリング信号）を第１端末５５に対して送信させ、その取得された期間情報に基づくパケット中継期間に、その要求信号に従って第１端末５５のＬＡＮ送信部１５４及びＬＡＮ送受分離部１５１から送信された第１端末５５からのパケットを基地局１１に対して送信するようになっている。
すなわち、第１端末５５から送信される基地局１１宛てのパケットは中継器５３を介して基地局１１に送信されるため、第１端末５５は、基地局１１に対して直接パケットを送信しない。したがって、第１端末５５によるセルラー通信（ＷｉＭＡＸ通信）でのパケットの送信と、第１端末５５による無線ＬＡＮ通信（ＷｉＦｉ通信）でのパケットの受信と、が重なることがないため、複数の無線通信の相互干渉の影響を低減することができる。
さらに、第１端末５５から送信される基地局１１宛てのパケットは、要求信号に従ってパケット中継期間に間に合うように中継器５３に対して送信されるため、確実に中継されることになって、好適である。
【０２１５】
また、第１端末５５が基地局１１からの送信を受信する期間に、第１端末５５による中継器５３に対するパケットの送信が禁止されるだけなので、一方の無線通信方式による通信（送受信）を行っている間、他方の無線通信方式による送信を遅延させたり、他方の無線通信方式による通信（送受信）を停止させたりする場合と比較して、複数の無線通信方式による通信が可能な期間の制限を軽減することができる。
【０２１６】
さらに、第１端末５５が基地局１１からの送信を受信する期間に、第１端末５５による中継器５３に対するパケットの送信が禁止されるだけなので、第２〜第４の実施の形態（すなわち、パケット送信期間に、第１端末５５宛てのパケットの送信が停止される場合）と比較して、効率が良い。
【０２１７】
［第６の実施の形態］
次に、第６の実施の形態における無線通信システム６０００について説明する。
【０２１８】
＜無線通信システムの構成＞
図２３に無線通信システム６０００の機能的構成を示すブロック図を示す。
なお、第６の実施の形態の無線通信システム６０００は、アクセスポイント６３がヘッダ情報を受信して、第１端末６５に転送（中継）する点が、第２の実施の形態の無線通信システム２０００と異なる。したがって、異なる箇所のみについて説明し、その他の共通する部分は同一符号を付して説明する。
【０２１９】
無線通信システム６０００は、例えば、図２３に示すように、基地局１１と、基地局１１と無線通信を行う端末としての第１端末６５と、第１端末４５と他の装置（例えば、第２端末２７，２７）との間の無線通信を中継する中継装置としてのアクセスポイント６５と、などを備えて構成される。
【０２２０】
＜アクセスポイント＞
図２３にアクセスポイント６３の機能的構成を示すブロック図を示す。
アクセスポイント６３は、例えば、アクセスポイント６３と接続する端末（第１端末６５や第２端末２７）との間で無線ＬＡＮ通信（ＷｉＦｉ通信）を行う無線ＬＡＮアクセスポイントである。
また、アクセスポイント６３は、例えば、アクセスポイント６３と接続する基地局１１との間でセルラー通信（ＷｉＭＡＸ通信）を行って、基地局１１から送信されたヘッダ情報を受信できるよう構成されている。
【０２２１】
具体的には、アクセスポイント６３は、例えば、ＬＡＮ送受分離部６３１と、ＬＡＮ受信部１３２と、ＬＡＮ受信用復調部１３３と、ＬＡＮ送信用変調部６３４と、ＬＡＮ送信部６３５と、制御部６３６と、セルラー送受分離部６３７と、セルラー受信部６３８と、セルラー受信用復調部６３９と、などを備えて構成される。
【０２２２】
セルラー送受分離部６３７は、例えば、セルラー通信用アンテナ６３７ａを有しており、アクセスポイント６３とセルラーネットワーク（ＷｉＭＡＸネットワーク）を介して接続する基地局１１との間で、セルラー通信を行う。
具体的には、セルラー送受分離部６３７は、例えば、制御部６３６から入力される制御信号に従って、基地局１１から送信された下りフレームに含まれるヘッダ情報を受信してセルラー受信部６３８に出力する。
【０２２３】
セルラー受信部６３８は、例えば、制御部６３６から入力される制御信号に従って、セルラー送受分離部６３７から入力されたヘッダ情報をＬＡＮ受信用復調部６３９に出力する。
【０２２４】
なお、時分割方式によって、基地局１１とセルラー通信を行う中継側セルラー通信手段は、例えば、セルラー送受分離部６３７と、セルラー受信部６３８と、からなる。
【０２２５】
セルラー受信用復調部６３９は、例えば、制御部６３６から入力される制御信号に従って、セルラー受信部６３８から入力されたヘッダ情報を復調して所定の処理を施し、制御部４３６に出力するとともに、ＬＡＮ送信用変調部６３４に出力する。
【０２２６】
ＬＡＮ送信用変調部６３４は、例えば、制御部６３６から入力される制御信号に従って、ＬＡＮ受信用復調部１３３から入力されたパケットを再度変調して、ＬＡＮ送信部６３５に出力する。
また、ＬＡＮ送信用変調部６３４は、例えば、制御部６３６から入力される制御信号に従って、セルラー受信用復調部６３９から入力されたヘッダ情報を再度変調して、ＬＡＮ送信部６３５に出力する。
【０２２７】
ＬＡＮ送信部６３５は、例えば、制御部６３６から入力される制御信号に従って、ＬＡＮ送信用変調部６３４から入力されたパケットをＬＡＮ送受分離部６３１に出力する。
また、ＬＡＮ送信部６３５は、例えば、制御部６３６から入力される制御信号に従って、ＬＡＮ送信用変調部６３４から入力されたヘッダ情報をＬＡＮ送受分離部６３１に出力する。
【０２２８】
ＬＡＮ送受分離部６３１は、例えば、無線ＬＡＮ通信用アンテナ６３１ａを有しており、アクセスポイント６３と無線ＬＡＮ（ＷｉＦｉネットワーク）を介して接続する端末との間で、無線ＬＡＮ通信を行う。
具体的には、ＬＡＮ送受分離部６３１は、例えば、制御部６３６から入力される制御信号に従って、端末から送信されたパケットを受信してＬＡＮ受信部１３２に出力するとともに、ＬＡＮ送信部６３５から入力されたパケットを端末に対して送信する。
また、ＬＡＮ送受分離部６３１は、例えば、制御部６３６から入力される制御信号に従って、ＬＡＮ送信部６３５から入力されたヘッダ情報を第１端末６５に対して送信する。
【０２２９】
制御部６３６は、例えば、図２４に示すように、ＣＰＵ１３６１と、ＲＡＭ１３６２と、計時部１３６３と、記憶部６３６４と、などを備えて構成される。
【０２３０】
記憶部６３６３は、例えば、図２４に示すように、ＬＡＮ送信制御プログラム６３６４ａと、転送制御プログラム６３６４ｅと、などを記憶している。
【０２３１】
ＬＡＮ送信制御プログラム６３６４ａは、例えば、ＬＡＮ送信部６３５及びＬＡＮ送受分離部６３１を制御して、ＬＡＮ送受分離部６３１及びＬＡＮ受信部１３２により受信された第１端末６５や第２端末２７からのパケットを、第１端末６５や第２端末２７に対して送信させる機能を、ＣＰＵ１３６１に実現させる。
【０２３２】
ここで、ＣＰＵ１３６１は、例えば、セルラー送受分離部６３７及びセルラー受信部６３８がフレーム情報を受信するフレーム情報受信期間に、ＬＡＮ送信部６３５及びＬＡＮ送受分離部６３１による第１端末６５や第２端末２７に対するパケットの送信を停止するようになっている。
ＣＰＵ１３６１は、かかるＬＡＮ送信制御プログラム６３６４ａを実行することによって、中継側無線ＬＡＮ送信制御手段として機能する。
【０２３３】
転送制御プログラム６３６４ｅは、例えば、ＬＡＮ送信部６３５及びＬＡＮ送受分離部６３１を制御して、基地局１１から送信された下りフレームに含まれるフレーム情報を第１端末６５に対して転送させる機能を、ＣＰＵ１６２１に実現させる。
【０２３４】
具体的には、ＣＰＵ１６２１は、例えば、ＬＡＮ送信部６３５及びＬＡＮ送受分離部６３１に、基地局１１から送信された下りフレームに含まれるヘッダ情報を第１端末６５に対して転送させることによって、フレーム情報を第１端末６５に対して転送する。
ＣＰＵ１６２１は、かかる転送制御プログラム６３６４ｅを実行することによって、転送制御手段と、として機能する。
【０２３５】
＜第１端末＞
図２５に第１端末６５の機能的構成を示すブロック図を示す。
第１端末６５は、例えば、図２５に示すように、ＬＡＮ送受分離部１５１と、ＬＡＮ受信部１５２と、ＬＡＮ受信用復調部１５３と、ＬＡＮ送信用変調部１５４と、ＬＡＮ送信部１５５と、セルラー送受分離部１５６と、セルラー受信部１５４と、セルラー受信用復調部１５８と、セルラー送信用変調部１５９と、セルラー送信部１６０と、出力部１６１と、制御部６５２と、などを備えて構成される。
【０２３６】
制御部６５２は、例えば、図２５に示すように、ＣＰＵ１６２１と、ＲＡＭ１６２２と、計時部１６２３と、記憶部６５２４と、などを備えて構成される。
【０２３７】
記憶部６５２４は、例えば、図２５に示すように、取得プログラム６５２４ａと、パケット作成プログラム１６２４ｂと、ＬＡＮ送信制御プログラム２６２４ｃと、セルラー送信制御プログラム１６２４ｄと、要求プログラム２６２４ｅと、などを記憶している。
【０２３８】
取得プログラム６６２４ａは、例えば、基地局１１から送信された下りフレームに含まれるヘッダ情報中のフレーム情報から、当該下りフレームに含まれる第１端末６５宛てのパケットを第１端末６５が受信するパケット受信期間に関する期間情報を取得するとともに、当該下りフレームの次に通信される上りフレームに含まれる第１端末６５からのパケット（基地局１１宛てのパケット）を第１端末６５が送信するパケット送信期間に関する期間情報を取得する機能を、ＣＰＵ１６２１に実現させる。
【０２３９】
ここで、ＣＰＵ１６２１は、例えば、セルラー送受分離部１５６及びセルラー受信部１５７が、基地局１１から送信された下りフレームに含まれるヘッダ情報の受信に失敗した場合には、ＬＡＮ送受分離部１５１及びＬＡＮ受信部１５２が受信した、アクセスポイント６３により転送されたヘッダ情報中のフレーム情報から期間情報を取得するようになっている。
【０２４０】
＜ＷｉＭＡＸ通信及びＷｉＦｉ通信でのパケットの送信＞
無線通信システム６０００におけるＷｉＭＡＸ通信及びＷｉＦｉ通信でのパケットの送信については、アクセスポイント６３が、フレーム情報受信期間に、第１端末６５や第２端末２７に対するパケットの送信を停止する点（すなわち、フレーム情報受信期間は、アクセスポイント６３によるＷｉＦｉ通信でのパケットの送信は禁止される点）のみが、第２の実施の形態の無線通信システム２０００におけるＷｉＭＡＸ通信及びＷｉＦｉ通信でのパケットの送信（図１０）と異なるため、詳細な説明は省略する。
【０２４１】
以上説明した第６の実施の形態の無線通信システム４０００によれば、アクセスポイント６３は、下りフレームに含まれるヘッダ情報を第１端末６５に対して転送することによって、フレーム情報を第１端末６５に対して転送するようになっている。そして、第１端末６５は、アクセスポイント６３により転送されたフレーム情報から期間情報を取得するようになっている。
したがって、第１端末６５は、ヘッダ情報の受信に失敗した場合など、フレーム情報を受信できなかった場合に、アクセスポイント６３から転送されたフレーム情報から期間情報を取得することができるため、好適である。
【０２４２】
なお、本発明は、上記した実施の形態のものに限るものではなく、その要旨を逸脱しない範囲で適宜変更可能である。
【０２４３】
第１〜第４及び第６の実施の形態においては、第５の実施の形態のように、アクセスポイントを、第１端末と基地局や第２端末との間の無線通信を中継する中継器としても良い。
【０２４４】
第２〜第５の実施の形態においては、第６の実施の形態のように、フレーム情報が中継装置（アクセスポイントや中継器）から第１端末に対して転送されるよう構成しても良い。
【０２４５】
第１〜第６の実施の形態においては、端末同士の無線ＬＡＮ通信として中継装置（アクセスポイントや中継器）を介した無線ＬＡＮ通信を挙げたが、端末同士の無線ＬＡＮ通信は、中継装置を介さない無線ＬＡＮ通信（アドホックモードでの無線ＬＡＮ通信）であっても良い。
第２の実施の形態においてアドホックモードでの無線ＬＡＮ通信を行う場合、第１端末２３と第２端末２７との通信や、第２端末２７と他の第２端末２７との通信は、直接行われる。したがって、第１端末２５は、要求信号（ＣＴＳ信号）を第２端末２７及びアクセスポイント２３に対して送信（直接送信）し、そして、ＮＡＶ期間（パケット送信期間）は、第１端末２５による第２端末２７及びアクセスポイント２３からのパケットの受信（直接受信）は行われないことになる。
また、第３の実施の形態においてアドホックモードでの無線ＬＡＮ通信を行う場合、第１端末３５と第２端末３７との通信や、第２端末３７と他の第２端末３７との通信は、直接行われる。したがって、第１端末３５は、要求信号（第１端末３５宛てのパケットの送信禁止を要求する要求信号）を第２端末３７及びアクセスポイント２３に対して送信（直接送信）し、そして、送信禁止期間（パケット送信期間）は、第１端末３５による第２端末３７及びアクセスポイント２３からのパケットの受信（直接受信）は行われないことになる。
【図面の簡単な説明】
【０２４６】
【図１】第１の実施の形態の無線通信システムの機能的構成を示すブロック図である。
【図２】図１に示すアクセスポイントの機能的構成を示すブロック図である。
【図３】図１に示す第１端末の機能的構成を示すブロック図である。
【図４】図１に示す第２端末の機能的構成を示すブロック図である。
【図５】第１の実施の形態の無線通信システムにおけるＷｉＭＡＸ通信及びＷｉＦｉ通信でのパケットの送信について説明するための図である。
【図６】第２の実施の形態の無線通信システムの機能的構成を示すブロック図である。
【図７】図６に示すアクセスポイントの機能的構成を示すブロック図である。
【図８】図６に示す第１端末の機能的構成を示すブロック図である。
【図９】図６に示す第２端末の機能的構成を示すブロック図である。
【図１０】第２の実施の形態の無線通信システムにおけるＷｉＭＡＸ通信及びＷｉＦｉ通信でのパケットの送信について説明するための図である。
【図１１】第３の実施の形態の無線通信システムの機能的構成を示すブロック図である。
【図１２】図１１に示す第１端末の機能的構成を示すブロック図である。
【図１３】図１１に示す第２端末の機能的構成を示すブロック図である。
【図１４】第３の実施の形態の無線通信システムにおけるＷｉＭＡＸ通信及びＷｉＦｉ通信でのパケットの送信について説明するための図である。
【図１５】第４の実施の形態の無線通信システムの機能的構成を示すブロック図である。
【図１６】図１５に示すアクセスポイントの機能的構成を示すブロック図である。
【図１７】図１５に示す第１端末の機能的構成を示すブロック図である。
【図１８】第４の実施の形態の無線通信システムにおけるＷｉＭＡＸ通信及びＷｉＦｉ通信でのパケットの送信について説明するための図である。
【図１９】第５の実施の形態の無線通信システムの機能的構成を示すブロック図である。
【図２０】図１９に示す中継器の機能的構成を示すブロック図である。
【図２１】図１９に示す第１端末の機能的構成を示すブロック図である。
【図２２】第５の実施の形態の無線通信システムにおけるＷｉＭＡＸ通信及びＷｉＦｉ通信でのパケットの送信について説明するための図である。
【図２３】第６の実施の形態の無線通信システムの機能的構成を示すブロック図である。
【図２４】図２３に示すアクセスポイントの機能的構成を示すブロック図である。
【図２５】図２３に示す第１端末の機能的構成を示すブロック図である。
【符号の説明】
【０２４７】
１１  基地局
１３，２３，４３，６３  アクセスポイント（中継装置）
５３  中継器（中継装置）
１５，２５，３５，４５，５５，６５  第１端末（端末）
１７，２７，３７  第２端末（他の装置）
１３１  ＬＡＮ送受分離部（中継側無線ＬＡＮ通信手段）
１３２  ＬＡＮ受信部（中継側無線ＬＡＮ通信手段）
１３５  ＬＡＮ送信部（中継側無線ＬＡＮ通信手段）
４３７，５３７  セルラー送受分離部（中継側セルラー通信手段）
４３８，５３８  セルラー受信部（中継側セルラー通信手段）
５４１  セルラー送信部（中継側セルラー通信手段）
１５１  ＬＡＮ送受分離部（端末側無線ＬＡＮ通信手段）
１５２  ＬＡＮ受信部（端末側無線ＬＡＮ通信手段）
１５５  ＬＡＮ送信部（端末側無線ＬＡＮ通信手段）
１５６  セルラー送受分離部（端末側セルラー通信手段）
１５７  セルラー受信部（端末側セルラー通信手段）
１６０  セルラー送信部（端末側セルラー通信手段）
１０００，２０００，３０００，４０００，５０００，６０００  無線通信システム
１３６１  ＣＰＵ（中継側無線ＬＡＮ送信制御手段、中継側取得手段、中継側要求手段、中継側セルラー送信制御手段、転送制御手段）
１３６４ａ，２３６４ａ，４３６４ａ，５３６４ａ，６３６４ａ  ＬＡＮ送信制御プログラム（中継側無線ＬＡＮ送信制御手段）
４３６４ｂ，５３６４ｂ  取得プログラム（中継側取得手段）
５３６４ｃ  要求プログラム（中継側要求手段）
５３６４ｄ  セルラー送信制御プログラム（中継側セルラー送信制御手段）
６３６４ｅ  転送制御プログラム（転送制御手段）
１６２１  ＣＰＵ（端末側取得手段、端末側無線ＬＡＮ送信制御手段、端末側要求手段）
１６２４ａ，６６２４ａ  取得プログラム（端末側取得手段）
１６２４ｃ，２６２４ｃ，５６２４ｃ  ＬＡＮ送信制御プログラム（端末側無線ＬＡＮ送信制御手段）
２６２４ｅ，３６２４ｅ  要求プログラム（端末側要求手段）
【図１】
2010041162.tif 000003
【図２】
2010041162.tif 000004
【図３】
2010041162.tif 000005
【図４】
2010041162.tif 000006
【図５】
2010041162.tif 000007
【図６】
2010041162.tif 000008
【図７】
2010041162.tif 000009
【図８】
2010041162.tif 000010
【図９】
2010041162.tif 000011
【図１０】
2010041162.tif 000012
【図１１】
2010041162.tif 000013
【図１２】
2010041162.tif 000014
【図１３】
2010041162.tif 000015
【図１４】
2010041162.tif 000016
【図１５】
2010041162.tif 000017
【図１６】
2010041162.tif 000018
【図１７】
2010041162.tif 000019
【図１８】
2010041162.tif 000020
【図１９】
2010041162.tif 000021
【図２０】
2010041162.tif 000022
【図２１】
2010041162.tif 000023
【図２２】
2010041162.tif 000024
【図２３】
2010041162.tif 000025
【図２４】
2010041162.tif 000026
【図２５】
2010041162.tif 000027